(57)【要約】【課題】特別な施設を設置することなく、ネットワークに接続された、或いは、通信回線に接続された、録画機能を有する録画装置間で、互いに録画の代行を行うことができ、その設置や運用に必要な特別の労力や費用を無くす。又、正当な権限がない不正な録画代行要求情報が送信された時には、それが不正なものであることを判断し、録画代行を拒否する。【解決手段】第１の他の装置から送られた第１の録画要求情報に基づいて映像情報の録画を行う録画装置であって、前記第１の他の装置は前記録画要求情報を前記録画装置に送るに際して第１の他の装置を特定する情報をも録画装置に送り、前記録画装置は前記送られた第１の他の装置を特定する情報に応じて録画の可否を判断する。【選択図】図２
2005333534.tif 000002
【特許請求の範囲】
【請求項１】
第１の他の装置から送られた第１の録画要求情報に基づいて録画情報の録画を行う録画装置であって、前記第１の他の装置は前記録画要求情報を前記録画装置に送るに際して第１の他の装置を特定する情報をも録画装置に送り、前記録画装置は前記送られた第１の他の装置を特定する情報に応じて録画の可否を判断する、録画装置。
【請求項２】
前記録画情報は映像情報である、請求項１に記載の録画装置。
【請求項３】
前記第１の他の装置は１つの録画情報に対する録画要求情報を複数の前記録画装置に送ることがある、請求項１又は請求項２に記載の録画装置。
【請求項４】
前記録画の可否の判断によって録画が可能と判断されたならばその録画要求情報に基づく録画を行い、前記録画の可否の判断によって録画が不可能と判断されたならば前記他の録画装置に対して録画不可能を通知する、請求項１から請求項３のいずれか１項に記載の録画装置。
【請求項５】
前記録画の可否の判断を行うに際して残りの録画可能容量を判断の条件に加える、請求項１から請求項４のいずれか１項に記載の録画装置。
【請求項６】
前記録画の可否の判断を行うに際して利用者の手動による設定を判断の条件に加える、請求項１から請求項５のいずれか１項に記載の録画装置。
【請求項７】
前記録画装置は映像情報の録画を行うことのできる第２の他の装置と通信することができ、前記判断によって録画不可と判断した時に前記第２の他の装置に第２の録画要求情報を送信する、請求項１から請求項６のいずれか１項に記載の録画装置。
【請求項８】
前記第２の録画要求情報を受信した前記第２の他の装置も録画不可と判断した時に録画不可を表す情報を前記第１の他の装置に送信する、請求項７に記載の録画装置。
【請求項９】
前記録画不可を表す情報を受信した前記第１の他の装置から他の要求情報を受信する、請求項８に記載の録画装置。
【請求項１０】
前記他の要求情報は録画優先度を上げるように指示する要求情報である、請求項９に記載の録画装置。
【請求項１１】
前記第１の他の装置は映像情報の録画を行うことのできる第１の他の装置であり、前記第１の他の装置は前記録画装置に録画要求情報を送り、前記録画要求情報を送った前記第１の他の装置は前記録画装置へ録画要求解除情報を送ることがあり、前記録画要求解除情報を送った前記第１の他の装置は前記録画要求解除情報を送った後の映像情報の録画を行う、請求項１から請求項１０のいずれか１項に記載の録画装置。
【請求項１２】
前記第１の他の装置は前記録画要求解除情報を前記録画装置が前記録画要求情報に基づいて録画を開始した後にも送ることがあり、前記録画要求解除情報を送った前記第１の他の装置は前記録画要求解除情報を送った後の映像情報の録画を行うと共に、前記録画装置が前記録画要求情報に基づいて録画を行った映像情報と前記録画要求解除情報を送った後に自ら録画を行った映像情報との結合を行う、請求項１１に記載の録画装置。
【請求項１３】
前記第１の他の装置は自分自身の記録容量が所定の容量以下になった時に前記録画要求情報を前記録画装置に送る、請求項１１又は請求項１２に記載の録画装置。
【請求項１４】
前記第１の他の装置から送られた第１の録画要求情報に基づいて映像情報の録画を行った録画装置は、前記第１の他の装置から送られた再生要求情報に基づいて前記録画を行った映像情報の再生を行う、請求項１から請求項１３のいずれか１項に記載の録画装置。
【請求項１５】
前記再生された映像情報は前記録画装置又は前記第１の他の装置或いはそれ以外の装置の１つ又は複数の装置に接続されている表示手段で表示することのできる、請求項１４に記載の録画装置。
【請求項１６】
前記第１の他の装置から送られた第１の録画要求情報に基づいて映像情報の録画を行った録画装置は、前記第１の他の装置から送られたコピー要求情報に基づいて前記録画を行った映像情報のコピーを行う、請求項１から請求項１５のいずれか１項に記載の録画装置。
【請求項１７】
前記第１の他の装置から送られたコピー要求情報に基づいて映像情報のコピーを行っている途中の録画装置は、前記第１の他の装置から送られた再生要求情報に基づいて前記録画を行っている映像情報のコピーを中断して映像情報の再生を行う、請求項１６に記載の録画装置。
【請求項１８】
前記第１の他の装置から送られた再生要求情報に基づいて前記映像情報のコピーを中断して映像情報の再生を行っている録画装置は、前記第１の他の装置から送られた再生中断情報に基づいて前記映像情報の再生を中断して映像情報のコピーを再開する、請求項１７に記載の録画装置。
【請求項１９】
前記第１の録画要求情報に基づいて前記録画装置が録画した映像情報は、前記第１の他の装置だけが読み出すことのできる、請求項１から請求項１８のいずれか１項に記載の録画装置。
【請求項２０】
前記録画装置はネットワークを経由して他の録画装置と通信することができ、前記ネットワークを経由して通信できる他の録画装置において、前記第１の録画要求情報によって録画を要求された映像情報が録画されることの有無を判断し、前記録画されることの有無の判断によって今後録画される或いは既に録画されていると判断された時には前記要求された録画を行わない、請求項１から請求項１９のいずれか１項に記載の録画装置。
【請求項２１】
前記録画の有無の判断によって前記録画を要求された映像情報が前記ネットワークを経由して通信できる他の複数の録画装置で今後録画される或いは既に録画されていると判断された時には、その複数の録画装置のいずれかに対して、今後録画する映像情報の録画を止める或いは既に録画している映像情報を削除するよう指示を行う、請求項２０に記載の録画装置。
【請求項２２】
前記録画の有無の判断を行う前記ネットワークを経由して通信できる他の録画装置は、前記ネットワークを経由して通信できる予め設定された他の録画装置である、請求項２０又は請求項２１に記載の録画装置。
【請求項２３】
前記録画を要求された映像情報を録画している他の録画装置に対してその録画している映像情報を削除するよう指示を行う他の録画装置は、予め設定された優先順序に基づいて決定される、請求項２２に記載の録画装置。
【請求項２４】
前記録画を要求された映像情報を録画している他の録画装置に対してその録画している映像情報を削除するよう指示を行う他の録画装置は、他の録画装置の録画性能に基づいて決定される、請求項２２又は請求項２３に記載の録画装置。
【請求項２５】
前記映像情報を削除するよう受けた指示に基づいて映像情報の削除を行った他の録画装置は、前記削除を行った映像情報を録画している前記ネットワークを経由して通信できる他の録画装置から前記削除を行った映像情報の再生を行うことのできる、請求項２１から請求項２４のいずれか１項に記載の録画装置。
【請求項２６】
前記録画装置はネットワークを経由して他の録画装置と通信することができ、前記録画装置は自分自身の録画予定リストと、前記ネットワークを経由して通信できる他の録画装置の録画予定リストとを有し、前記自分自身の録画予定リストと前記他の録画装置の録画予定リストとに同じ番組の録画予定が含まれている時には、それらの録画予定の中の１つだけが実行され、前記自分自身の録画予定リストと前記他の録画装置の録画予定リストとに前記録画を実行する録画装置を特定する情報が追加される、請求項１から請求項２５のいずれか１項に記載の録画装置。
【請求項２７】
前記他の録画装置の録画予定リストは特定のサーバが記憶している、請求項２６に記載の録画装置。
【請求項２８】
前記自分自身の録画予定リストと前記他の録画装置の録画予定リストとに同じ番組の録画予定が含まれている時にそれらの録画予定の中の実行される前記録画装置又は前記他の録画装置の決定は、前記録画装置又は前記他の録画装置の空き状況に基づいて決定される、請求項２６又は請求項２７に記載の録画装置。
【請求項２９】
前記自分自身の録画予定リストと前記他の録画装置の録画予定リストとに同じ番組の録画予定が含まれている時にそれらの録画予定の中の実行される前記録画装置又は前記他の録画装置の決定は、予め定められた優先順位に基づいて決定される、請求項２６から請求項２８のいずれか１項に記載の録画装置。
【請求項３０】
前記自分自身の録画予定リストと前記他の録画装置の録画予定リストとに同じ番組の録画予定が含まれている時にそれらの録画予定の中の実行される前記録画装置又は前記他の録画装置の決定は、前記録画装置又は前記他の録画装置の負荷を平準化するように決定される、請求項２６から請求項２９のいずれか１項に記載の録画装置。
【請求項３１】
特定の権限を有する者でなければ前記録画予定リストを外部に出力することができない、請求項２６から請求項３０のいずれか１項に記載の録画装置。
【請求項３２】
前記録画装置が録画した映像情報は、全ての再生可能リストから削除された時に削除される、請求項２６から請求項３１のいずれか１項に記載の録画装置。
【請求項３３】
前記第１の録画要求情報に基づいて録画を行う時に電源のオンオフを制御する、請求項１から請求項３２のいずれか１項に記載の録画装置。
【発明の詳細な説明】
【技術分野】
【０００１】
本発明は、映像情報を録画することのできる録画装置に関するものである。更に又、映像情報やデジタルデータやその他の情報を通信することのできるネットワークに接続可能で、このネットワークを経由して他の録画装置と映像情報やデジタルデータを通信することのできる録画装置に関するものである。
【０００２】
更に又、これらのネットワークや或いは他の通信回線を経由して通信可能な他の録画装置に対して、録画依頼を行う録画装置に関するものである。
【背景技術】
【０００３】
従来の録画装置や、特に、通信回線を経由して通信可能な他の録画装置に対して録画依頼を行う録画装置には、例えば下記特許文献１に記載された録画システム及び録画代行システムがあった。
【０００４】
図１１に、下記特許文献１に記載された、従来の録画装置の一具体例である録画代行システムの概略構成図を示す。
【０００５】
図１１に示す通り、この録画代行システムは、放送コンテンツ９７０（図１２に示す）の放送サービスを提供する放送局９１０と、放送サービスを受信して放送コンテンツ９７０の視聴を行う受信局９１２と、受信局９１２に対して番組録画サービスを提供する録画センター局９１４とで構成される。
【０００６】
放送局９１０は地上に１基以上散在しており、所定のスケジュール（番組予定表）に従って放送コンテンツ９７０の放送サービスを行う。放送コンテンツ配信の形態は、地上波、衛星波、無線、有線の区別を特に問わない。
【０００７】
受信局９１２は、各視聴者のいる一般家庭等である。図１１には１つの受信局９１２しか書かれていないが、実際には地上に多く存在する。放送局９１０による放送サービスは、基本的には一方向である。
【０００８】
受信局９１２は、放送コンテンツの受信機能と、受信データのデコード機能、並びに映像及び音響の出力機能と、受信データの保存すなわち録画機能とを備えている。録画はデコードの前後の、いずれのデータ形式で行ってもよい。
【０００９】
録画センター局９１４は、受信局９１２とはインターネット９１９のような広域ネットワーク、或いはその他の通信媒体を介して接続されている。
【００１０】
録画センター局９１４は、放送コンテンツの受信機能と、受信データの保存、即ち録画機能とを備え、各受信局９１２からの要求に応じて、指定された放送番組の録画の代行と、録画コンテンツの提供サービスを行う。
【００１１】
録画センター局９１４は、インターネット９１９上では、一つのコンテンツ・サーバとして稼動しており、録画センター局９１４上で公開される録画コンテンツは、ＵＲＬ形式で記述された資源識別子によって指定し、インターネット９１９を経由して配信することができる。
【００１２】
受信局９１２では、例えば、記録メディア切れや記録装置の故障等によって、録画予約しておいた番組の録画を自ら行うことができない時には、録画センター局９１４に対して録画代行要求を送信し、番組の録画の代行を依頼することができる。この録画代行要求は、例えばＨＴＴＰリクエストであってもよいし、メール形式であってもよい。
【００１３】
録画センター局９１４は、録画代行要求に応答して、指定された放送番組の受信と、その放送コンテンツの録画を行うと共に、要求元である受信局９１２のアカウント（或いはその他の識別情報）とを対応付けて録画コンテンツを保管する。保管された録画コンテンツは、例えばインターネット９１９上でＵＲＬによって識別することができる。
【００１４】
録画センター局９１４は、録画コンテンツを要求元に対して自動配信してもよいし、要求元からのダウンロード要求に応じて配信してもよい。
【００１５】
又、要求元である受信局９１２は、録画要求したコンテンツをＵＲＬによって指定して、ＨＴＴＰ又はＦＴＰなどのプロトコルでダウンロードすることができる。
【００１６】
或いは、受信局９１２はメールを送信することによって、録画コンテンツの提供を要求したり、録画センター局９１４は添付ファイル形式で録画コンテンツを返信しても構わない。
【００１７】
録画センター局９１４は、受信局９１２に対する番組予約代行サービスを有料で提供しても構わないし、広告サーバ９１３から提供された広告を録画コンテンツに挿入することによって広告料を徴収しても構わない。或いは、録画コンテンツに含まれる広告を、広告サーバ９１３から提供された独自の広告に置き換えても構わない。
【００１８】
図１２に、従来の録画装置の一具体例である録画代行システムの受信局９１２の概略構成図を示す。
【００１９】
受信局９１２は、例えば一般家庭内に設置されたセットトップボックス（ＳＴＢ）のようなテレビ受信機と一体的に構成することもできる。
【００２０】
受信局９１２では、メイン・コントローラであるＣＰＵ９３１が、バス９５０を介して各ハードウェア部分と相互接続されている。
【００２１】
アンテナ（図示せず）で受信された放送コンテンツ９７０は、チューナ９５１に入力され、チューナ９５１はＣＰＵ９３１の指示に従い、所定チャネルの選局を行う。
【００２２】
選局された放送コンテンツは復調器９５２に送られ、復調器９５２はデジタル変調されている受信信号を復調する。尚、放送信号がアナログかデジタルかによって、チューナ９５１や復調器９５２の構成は適宜変更される。
【００２３】
例えばこの放送コンテンツが、デジタル衛星放送であったと仮定すると、復調器９５２によって復調された信号は、ＭＰＥＧ２圧縮されたＡＶデータと、データ放送用のデータとが多重化された「トランスポート・ストリーム（ＴＳ）」である。このＡＶデータは、放送コンテンツ本体を構成する映像及び音声情報である。また、データ放送用のデータは、この放送コンテンツ本体に付随するデータであり、例えば電子プログラムガイド（ＥＰＧ）等を含んでいる。
【００２４】
デコーダ９５３は、このＴＳをデコードして、ＭＰＥＧ２圧縮されたＡＶデータとデータ放送用のデータとに分離する。
【００２５】
更にデコーダ９５３は、ＭＰＥＧ２方式で圧縮されたリアルタイムＡＶデータを、圧縮映像データと圧縮音声データとに分離する。
【００２６】
更に又デコーダ９５３は、圧縮映像データに対してＭＰＥＧ２伸長を行い、元の映像信号を再生する。音声データに対しては、ＰＣＭデコードした後に付加音と合成して再生音声信号を生成する。再生された映像信号は、コンポーザ９５７を経由して、ディスプレイ９６１に表示される。再生された音声信号は、ミキサ９５５を経由して、スピーカ９６２から出力される。
【００２７】
尚、音声信号はＰＣＭ形式に限定されるものではなく、映像信号もＭＰＥＧ形式に限定されるものではない。
【００２８】
デコーダ９５３は、ＴＳから分離されたデータ放送用データを、バス９５０を経由して、ＣＰＵ９３１に転送する。ＣＰＵ９３１は、所定のアプリケーションに従って、データ放送用データの処理を行い、例えば、ＥＰＧ画面の作成等に利用する。
【００２９】
又、デコーダ９５３は、ＣＰＵ９３１からの要求によって、デコード前のＭＰＥＧ２ストリームや、デコード後の番組コンテンツをバス９５０経由でＣＰＵ９３１や他の機器、例えばビデオレコーダ９６４やＨＤＤ９３７等に転送することもできる。
【００３０】
ユーザ・インターフェース制御部（Ｕ／Ｉ制御部）９５６は、ユーザからの入力操作を処理するモジュールで、例えば、ユーザが直接マニュアル操作するための操作ボタン／スイッチ（図示せず）や、赤外線（ＩＲ）などを介したリモコン９６０からの、遠隔操作信号を受信する機能を備えている。又、現在の操作状況を表示するための表示パネルやＬＥＤインジケータ等（図示せず）を含んでいることもある。
【００３１】
ＣＰＵ９３１は、受信局９１２全体の動作を制御するメイン・コントローラであり、オペレーティング・システム（ＯＳ）によって提供されるプラットフォーム上で、各種アプリケーションを実行することができる。
【００３２】
ＲＡＭ９３２は、ＣＰＵ９３１の実行プログラムをロードしたり、実行プログラムの作業データを記憶するために使用される、読み書き可能な揮発性メモリである。
【００３３】
ＲＯＭ９３３は、受信局９１２の電源投入時に実行される自己診断・初期化プログラムや、ハードウェア制御用のプログラムやデータ等を恒久的に記憶している読み出し専用メモリである。
【００３４】
ＩＥＥＥ１３９４（ｉ−ｌｉｎｋ）インターフェース（Ｉ／Ｆ）９３５は、数１０ＭＢｐｓ程度のデータ送受信が可能なシリアル高速通信インターフェースである。ＩＥＥＥ１３９４ポートには、ＩＥＥＥ１３９４対応の外部機器を接続することができる。
【００３５】
図１２に示す従来例の受信局９１２では、放送コンテンツを録画することのできる、ビデオレコーダ９６４が接続されているケースを一例として示している。
【００３６】
ハード・ディスク装置（ＨＤＤ）９３７は、プログラムやデータなどを所定のフォーマットのファイル形式で記憶することのできる、ランダム・アクセス可能な外部記憶装置であり、例えば数１０ＧＢから数１００ＧＢ程度の大容量を持つこともある。ＨＤＤ９３７は、ハード・ディスク・インターフェース（ＨＤＤ  Ｉ／Ｆ）９３６を介してバス９５０に接続されており、ＣＰＵ９３１の制御によって、デコード前のＭＰＥＧ２ストリームや、デコード後の放送番組コンテンツを記録することができる。
【００３７】
例えば、デコード前のＭＰＥＧ２ストリームをＨＤＤ９３７に記録（録画）するケースでは、デコード前のＭＰＥＧ２ストリームがデコーダ９５３からバス９５０を経由して一旦ＣＰＵ９３１へ送られ、このデコード前のＭＰＥＧ２ストリームがＣＰＵ９３１の制御によって、再びバス９５０を経由してＨＤＤ  Ｉ／Ｆ９３６からＨＤＤ９３７へ送られる。又、この過程で一旦ＲＡＭ９３２に記憶されることもある。
【００３８】
データ転送は、ＰＩＯ（プログラム制御入出力）転送方式や、ＤＭＡ（ダイレクト・メモリー・アクセス）転送方式等で行われる。
【００３９】
又、例えば、ＨＤＤ９３７に記録（録画）されているデコード前のＭＰＥＧ２ストリームを再生するケースでは、例えば、リモコン９６０からの操作入力によって、再生しようとするストリームを特定する情報が、ＣＰＵ９３１に送られ、ＣＰＵ９３１はその情報に基づいて、再生するデコード前のＭＰＥＧ２ストリームをＨＤＤ９３７から読み出して、ＨＤＤ  Ｉ／Ｆ９３６とバス９５０とを経由してデコーダ９５３に送る。
【００４０】
デコーダ９５３は、放送コンテンツ９７０を受信した時と同様に、このデコード前のＭＰＥＧ２ストリームをデコードして、ＭＰＥＧ２圧縮されたＡＶデータとデータ放送用のデータとに分離する。
【００４１】
更にデコーダ９５３は、ＭＰＥＧ２方式で圧縮されたリアルタイムＡＶデータを、圧縮映像データと圧縮音声データとに分離し、圧縮映像データに対してＭＰＥＧ２伸長を行い、元の映像信号を再生する。
【００４２】
音声データに対しては、ＰＣＭデコードした後に付加音と合成して再生音声信号を生成する。
【００４３】
再生された映像信号は、コンポーザ９５７を経由して、ディスプレイ９６１に表示される。
【００４４】
再生された音声信号は、ミキサ９５５を経由して、スピーカ９６２から出力される。
【００４５】
グラフィック処理コントローラ９５８は、ＣＰＵ９３１の制御によって、ディスプレイ９６１に各種映像を生成表示する専用コントローラであり、例えば、受信局９１２をユーザが操作するためのＧＵＩ画面や、番組情報を表示するＥＰＧ（電子プログラムガイド）画面を生成表示することができる。
【００４６】
デコーダ９５３によって復元された再生映像と、グラフィック処理コントローラ９５８によって生成されたコンピュータ映像を重ね合わせる処理は、コンポーザ９５７によって行われる。
【００４７】
通信インターフェース（通信Ｉ／Ｆ）９３９は、受信局９１２を例えばＬＡＮ等のネットワーク（図示せず）と接続するためのインターフェース部であり、更にルータ（図示せず）介してインターネット９１９のような広域ネットワークに接続されている。
【００４８】
この従来例の受信局９１２では、リモコン９６０又はＵ／Ｉ制御部９５６の操作パネル（図示せず）で、録画や録画予約の操作がユーザによって入力されると、ＣＰＵ９３１にその情報が送られ、ＣＰＵ９３１の制御によって、これらの処理が実行される。
【００４９】
ＣＰＵ９３１は、ＨＤＤ９３７における記録媒体の残存容量や、ビデオレコーダ９６４における記録媒体の装着状況を、常時管理している。
【００５０】
そして上記のようにユーザが録画や録画予約の操作を行った時、指定された番組を録画するために必要な容量がＨＤＤ９３７の記録媒体に残っていなかったり、ビデオレコーダ９６４に記録媒体が装着されていない時には、ＣＰＵ９３１は、記録容量の不足や記録媒体が装着されていないことを知らせるメッセージをグラフィック処理コントローラ９５８で作成し、コンポーザ９５７を経由してディスプレイ９６１に表示する。
【００５１】
この表示にも係わらず、ユーザが何の操作も行わず、録画を指示された番組が始まった時、ＣＰＵ９３１は、録画代行要求情報を、インターネット９１９を経由して録画センター局９１４へ送信する。
【００５２】
この録画代行要求情報は、例えばＵＲＬ形式で記述されたＨＴＴＰリクエスト形式や、電子メール形式等の形式や、その他各種の形式である。
【００５３】
或いは、一般公衆電話回線（図示せず）を介したダイヤルアップ接続形式で、録画センター局９１４に対して、録画代行要求情報を送信しても構わない。
【００５４】
又、指定された番組を録画するために必要な容量がＨＤＤ９３７の記録媒体に残っていなかったり、ビデオレコーダ９６４に記録媒体が装着されていない時だけでなく、これらの事情が無かったために、受信局９１２は指定された番組をＨＤＤ９３７の記録媒体やビデオレコーダ９６４の記録媒体に記録しようとしてその処理を開始したが、故障等の何等かの事情によってその処理を遂行できない時、録画代行要求情報を、インターネット９１９を経由して録画センター局９１４へ送信することもある。
【特許文献１】特開２００１−３４６１３７号公報
【発明の開示】
【発明が解決しようとする課題】
【００５５】
しかしながらこのような従来の録画代行システムでは、専用の録画センター局を特別に設置する必要があり、その録画センター局は大規模な施設となることが避けられず、その設置や運用にも多くの労力や費用を必要とするという課題があった。
【００５６】
又、例えば、正当な権限がない不正な録画代行要求情報が送信された時、録画センター局ではそれが不正なものであることを判断することができず、不正な録画代行要求に対しても、録画代行を実行してしまうという課題もあった。
【００５７】
或いは又、正当な録画代行要求情報が送信された時、録画センター局側に、故障やその他何等かの録画代行ができない事情がある時でも、その状態を録画代行要求元に連絡したり、他の何らかの代替的な方法で録画代行を実行することができない、という課題があった。
【００５８】
更に又、従来の録画代行システムでは、一旦、録画センター局に対して、番組の録画代行を要求すると、その後何等かの状況の変化によって、受信局での録画が可能になった時でも、録画センター局で録画が行われてしまうという課題があった。
【００５９】
或いは、一旦、録画センター局に対して、番組の録画代行を要求した後、その録画代行を要求した番組を、録画中に、或いはコピーが終了後にその録画センター局で再生し、それを受信局で視聴することはできないという課題があった。
【００６０】
又、従来の録画代行システムでは、受信局からの要求に従って録画代行を行った番組を、他の受信局からの要求によって配信してしまう可能性があり、セキュリティやプライバシーの保護に欠けることがあったり、著作権に係わる問題が生じる可能性もあった。
【００６１】
更に又、このような従来の録画代行システムでは、多くの受信局からの同一番組の録画代行要求に対して、重複して同じ番組の録画を行い、不要に記録領域を消費したり、リソースの無駄遣いをしてしまうことがあった。
【００６２】
更に、このような録画センター局が複数設置されている時には、これら複数の録画センター局間でも同一の番組の録画代行要求に対して、重複して同じ番組の録画を行い、不要に記録領域を消費したり、リソースの無駄遣いをしてしまうことがあった。
【課題を解決するための手段】
【００６３】
本発明は、上記多くの課題を解決するために行われたもので、ネットワークに接続された、或いは、通信回線に接続された、録画機能を有する録画装置間で、互いに録画の代行を行うものである。
【００６４】
その他、上記多くの課題を解決するため、以下のような構成を採るものである。
【００６５】
本特許出願に係る請求項１に記載された発明は、第１の他の装置から送られた第１の録画要求情報に基づいて録画情報の録画を行う録画装置であって、前記第１の他の装置は前記録画要求情報を前記録画装置に送るに際して第１の他の装置を特定する情報をも録画装置に送り、前記録画装置は前記送られた第１の他の装置を特定する情報に応じて録画の可否を判断する、録画装置である。
【００６６】
本特許出願に係る請求項２に記載された発明は、前記録画情報は映像情報である、請求項１に記載の録画装置である。
【００６７】
本特許出願に係る請求項３に記載された発明は、前記第１の他の装置は１つの録画情報に対する録画要求情報を複数の前記録画装置に送ることがある、請求項１又は請求項２に記載の録画装置である。
【００６８】
本特許出願に係る請求項４に記載された発明は、前記録画の可否の判断によって録画が可能と判断されたならばその録画要求情報に基づく録画を行い、前記録画の可否の判断によって録画が不可能と判断されたならば前記他の録画装置に対して録画不可能を通知する、請求項１から請求項３のいずれか１項に記載の録画装置である。
【００６９】
本特許出願に係る請求項５に記載された発明は、前記録画の可否の判断を行うに際して残りの録画可能容量を判断の条件に加える、請求項１から請求項４のいずれか１項に記載の録画装置である。
【００７０】
本特許出願に係る請求項６に記載された発明は、前記録画の可否の判断を行うに際して利用者の手動による設定を判断の条件に加える、請求項１から請求項５のいずれか１項に記載の録画装置である。
【００７１】
本特許出願に係る請求項７に記載された発明は、前記録画装置は映像情報の録画を行うことのできる第２の他の装置と通信することができ、前記判断によって録画不可と判断した時に前記第２の他の装置に第２の録画要求情報を送信する、請求項１から請求項６のいずれか１項に記載の録画装置である。
【００７２】
本特許出願に係る請求項８に記載された発明は、前記第２の録画要求情報を送信した前記第２の他の装置も録画不可と判断した時に録画不可を表す情報を前記第１の他の装置に送信する、請求項７に記載の録画装置である。
【００７３】
本特許出願に係る請求項９に記載された発明は、前記録画不可を表す情報を受信した前記第１の他の装置から他の要求情報を受信する、請求項８に記載の録画装置である。
【００７４】
本特許出願に係る請求項１０に記載された発明は、前記他の要求情報は録画優先度を上げるように指示する要求情報である、請求項９に記載の録画装置である。
【００７５】
本特許出願に係る請求項１１に記載された発明は、前記第１の他の装置は映像情報の録画を行うことのできる第１の他の装置であり、前記第１の他の装置は前記録画装置に録画要求情報を送り、前記録画要求情報を送った前記第１の他の装置は前記録画装置へ録画要求解除情報を送ることがあり、前記録画要求解除情報を送った前記第１の他の装置は前記録画要求解除情報を送った後の映像情報の録画を行う、請求項１から請求項１０のいずれか１項に記載の録画装置である。
【００７６】
本特許出願に係る請求項１２に記載された発明は、前記第１の他の装置は前記録画要求解除情報を前記録画装置が前記録画要求情報に基づいて録画を開始した後にも送ることがあり、前記録画要求解除情報を送った前記第１の他の装置は前記録画要求解除情報を送った後の映像情報の録画を行うと共に、前記録画装置が前記録画要求情報に基づいて録画を行った映像情報と前記録画要求解除情報を送った後に自ら録画を行った映像情報との結合を行う、請求項１１に記載の録画装置である。
【００７７】
本特許出願に係る請求項１３に記載された発明は、前記第１の他の装置は自分自身の記録容量が所定の容量以下になった時に前記録画要求情報を前記録画装置に送る、請求項１１又は請求項１２に記載の録画装置である。
【００７８】
本特許出願に係る請求項１４に記載された発明は、前記第１の他の装置から送られた第１の録画要求情報に基づいて映像情報の録画を行った録画装置は、前記第１の他の装置から送られた再生要求情報に基づいて前記録画を行った映像情報の再生を行う、請求項１から請求項１３のいずれか１項に記載の録画装置である。
【００７９】
本特許出願に係る請求項１５に記載された発明は、前記再生された映像情報は前記録画装置又は前記第１の他の装置或いはそれ以外の装置の１つ又は複数の装置に接続されている表示手段で表示することのできる、請求項１４に記載の録画装置である。
【００８０】
本特許出願に係る請求項１６に記載された発明は、前記第１の他の装置から送られた第１の録画要求情報に基づいて映像情報の録画を行った録画装置は、前記第１の他の装置から送られたコピー要求情報に基づいて前記録画を行った映像情報のコピーを行う、請求項１から請求項１５のいずれか１項に記載の録画装置である。
【００８１】
本特許出願に係る請求項１７に記載された発明は、前記第１の他の装置から送られたコピー要求情報に基づいて映像情報のコピーを行っている途中の録画装置は、前記第１の他の装置から送られた再生要求情報に基づいて前記録画を行っている映像情報のコピーを中断して映像情報の再生を行う、請求項１６に記載の録画装置である。
【００８２】
本特許出願に係る請求項１８に記載された発明は、前記第１の他の装置から送られた再生要求情報に基づいて前記映像情報のコピーを中断して映像情報の再生を行っている録画装置は、前記第１の他の装置から送られた再生中断情報に基づいて前記映像情報の再生を中断して映像情報のコピーを再開する、請求項１７に記載の録画装置である。
【００８３】
本特許出願に係る請求項１９に記載された発明は、前記第１の録画要求情報に基づいて前記録画装置が録画した映像情報は、前記第１の他の装置だけが読み出すことのできる、請求項１から請求項１８のいずれか１項に記載の録画装置である。
【００８４】
本特許出願に係る請求項２０に記載された発明は、前記録画装置はネットワークを経由して他の録画装置と通信することができ、前記ネットワークを経由して通信できる他の録画装置において、前記第１の録画要求情報によって録画を要求された映像情報が録画されることの有無を判断し、前記録画されることの有無の判断によって録画されていると判断された時には前記要求された録画を行わない、請求項１から請求項１９のいずれか１項に記載の録画装置である。
【００８５】
本特許出願に係る請求項２１に記載された発明は、前記録画の有無の判断によって前記録画を要求された映像情報が前記ネットワークを経由して通信できる他の録画装置の複数に録画されていると判断された時には、その映像情報を録画している他の録画装置のいずれかに対してその録画している映像情報を削除するよう指示を行う、請求項２０に記載の録画装置である。
【００８６】
本特許出願に係る請求項２２に記載された発明は、前記録画の有無の判断を行う前記ネットワークを経由して通信できる他の録画装置は、前記ネットワークを経由して通信できる他の録画装置である、請求項２０又は請求項２１に記載の録画装置である。
【００８７】
本特許出願に係る請求項２３に記載された発明は、前記録画を要求された映像情報を録画している他の録画装置に対してその録画している映像情報を削除するよう指示を行う他の録画装置は、予め設定された優先順序に基づいて決定される、請求項２２に記載の録画装置である。
【００８８】
本特許出願に係る請求項２４に記載された発明は、前記録画を要求された映像情報を録画している他の録画装置に対してその録画している映像情報を削除するよう指示を行う他の録画装置は、他の録画装置の録画性能に基づいて決定される、請求項２２又は請求項２３に記載の録画装置である。
【００８９】
本特許出願に係る請求項２５に記載された発明は、前記映像情報を削除するよう受けた指示に基づいて映像情報の削除を行った他の録画装置は、前記削除を行った映像情報を録画している前記ネットワークを経由して通信できる他の録画装置から前記削除を行った映像情報の再生を行うことのできる、請求項２１から請求項２４のいずれか１項に記載の録画装置である。
【００９０】
本特許出願に係る請求項２６に記載された発明は、前記録画装置はネットワークを経由して他の録画装置と通信することができ、前記録画装置は自分自身の録画予定リストと、前記ネットワークを経由して通信できる他の録画装置の録画予定リストとを有し、前記自分自身の録画予定リストと前記他の録画装置の録画予定リストとに同じ番組の録画予定が含まれている時には、それらの録画予定の中の１つだけが実行され、前記自分自身の録画予定リストと前記他の録画装置の録画予定リストとに前記録画を実行する前記録画装置を特定する情報が追加される、請求項１から請求項２５のいずれか１項に記載の録画装置である。
【００９１】
本特許出願に係る請求項２７に記載された発明は、前記他の録画装置の録画予定リストは特定のサーバが記憶している、請求項２６に記載の録画装置である。
【００９２】
本特許出願に係る請求項２８に記載された発明は、前記自分自身の録画予定リストと前記他の録画装置の録画予定リストとに同じ番組の録画予定が含まれている時にそれらの録画予定の中の実行される前記録画装置又は前記他の録画装置の決定は、前記録画装置又は前記他の録画装置の空き状況に基づいて決定される、請求項２６又は請求項２７に記載の録画装置である。
【００９３】
本特許出願に係る請求項２９に記載された発明は、前記自分自身の録画予定リストと前記他の録画装置の録画予定リストとに同じ番組の録画予定が含まれている時にそれらの録画予定の中の実行される前記録画装置又は前記他の録画装置の決定は、予め定められた優先順位に基づいて決定される、請求項２６から請求項２８のいずれか１項に記載の録画装置である。
【００９４】
本特許出願に係る請求項３０に記載された発明は、前記自分自身の録画予定リストと前記他の録画装置の録画予定リストとに同じ番組の録画予定が含まれている時にそれらの録画予定の中の実行される前記録画装置又は前記他の録画装置の決定は、前記録画装置又は前記他の録画装置の負荷を平準化するように決定される、請求項２６から請求項２９のいずれか１項に記載の録画装置である。
【００９５】
本特許出願に係る請求項３１に記載された発明は、前記録画予定リストは特定の権限を有さない限り外部に出力することができない、請求項２６から請求項３０のいずれか１項に記載の録画装置である。
【００９６】
本特許出願に係る請求項３２に記載された発明は、前記録画装置が録画した映像情報は、全ての再生可能リストから削除された時に削除される、請求項２６から請求項３１のいずれか１項に記載の録画装置である。
【００９７】
本特許出願に係る請求項３３に記載された発明は、前記第１の録画要求情報に基づいて録画を行う時に電源のオンオフを制御する、請求項１から請求項３２のいずれか１項に記載の録画装置である。
【発明の効果】
【００９８】
以上のような構成を採用することによって、本特許出願に係る発明では、特別な施設を設置することなく、ネットワークに接続された、或いは、通信回線に接続された、録画機能を有する録画装置間で、互いに録画の代行を行うことができ、その設置や運用に特別な労力や費用を必要とすることがない。
【００９９】
又、正当な権限がない不正な録画代行要求情報が送信された時には、それが不正なものであることを判断し、録画代行を拒否することが可能になる。
【０１００】
或いは又、正当な録画代行要求情報が送信された時、録画代行要求を受けた側に、故障やその他何等かの録画代行ができない事情がある時には、その状態を録画代行要求元に連絡したり、ネットワークに接続された、或いは、通信回線に接続された、他の録画機能を有する録画装置間で、互いに録画の代行を行うことが可能になる。
【０１０１】
更に又、一旦番組の録画代行を要求した後でも、その後何等かの状況の変化によって、録画代行要求元での録画が可能になった時には、録画代行要求を取り消し、自分自身で録画することが可能になる。
【０１０２】
或いは、一旦番組の録画代行を要求した後、その録画代行を要求した番組を、録画中に、或いは録画が終了後にその録画代行を要求された側でその番組を再生し、それを録画代行要求元で視聴することが可能になる。
【０１０３】
又、要求に従って録画代行を行った番組の、他の機器からの配信要求を拒否することが可能であり、セキュリティやプライバシーを保護することができると共に、著作権に係わる問題を生じることもない。
【０１０４】
更に又、多くの機器からの同一番組の録画代行要求に対して、１つだけの録画を実行するので、重複して同じ番組の録画を行い、不要に記録領域を消費したり、リソースの無駄遣いをしてしまうことがない。
【０１０５】
更に、複数の録画装置間でも、同一の番組の録画代行要求に対して、１つだけの録画を実行するので、重複して同じ番組の録画を行い、不要に記録領域を消費したり、リソースの無駄遣いをしてしまうことがない。
【発明を実施するための最良の形態】
【０１０６】
以下に本特許出願に係る発明（以後単に、本発明と呼ぶ）の実施の形態について、図面を参照しながら説明する。
【０１０７】
（実施の形態１）
本発明の実施の形態１である録画機１１２の使用される状態を図１に示す。
【０１０８】
この録画機１１２は、図１に示すように、例えば一般家庭１２２に設置されているものである。しかしながら、この録画機１１２が設置されるのは、必ずしも一般家庭１２２だけに限るものではなく、例えば企業のオフィースや、事務所や、工場や、商店や、集合住宅の管理エリアや、その他あらゆる場所に設置される可能性もあり、どのような場所に設置されていても構わない。
【０１０９】
この録画機１１２はインターネット１１９を経由して、他の録画機１１３と録画機１１４と録画機１１５とに接続されており、互いに情報を送受信することができる。
【０１１０】
このインターネット１１９もあくまでも１つの例であり、例えば公衆回線を使ったネットワークや、企業内のローカル・エリア・ネットワーク（ＬＡＮ）や、例えばＣＡＴＶ網を使った広域ネットワーク（ＷＡＮ）や、無線方式のネットワークや、公衆ネットワーク上に仮想的に構築されたプライベートなネットワーク（ＶＰＮ）や、スター型、バス型、ループ型等を始めとするどのような形式であっても構わないし、これらの組み合わせで構築されたネットワークや、情報を送受信することが可能なあらゆる形式のネットワークを含むものである。
【０１１１】
又、録画機１１３と録画機１１４と録画機１１５も例えば一般家庭１２３と一般家庭１２４と一般家庭１２５とに設置されるように例示しているが、これらも如何なる場所に設置されても構わないことは、上記録画機１１２と同様である。
【０１１２】
又、録画機１１３と録画機１１４と録画機１１５との４つだけを例示しているが、必ずしも４つに限るものではなく、１つであっても構わないし、４つ以上幾つの録画機がインターネット１１９に接続され、設置されていても構わない。
【０１１３】
これらの録画機１１２、録画機１１３、録画機１１４、録画機１１５は、例えば放送局１１０から放送された番組を受信し、その番組を録画することができる。
【０１１４】
この放送も、例えば図１では衛星放送を想定して描いているが、必ずしも衛星放送に限るものではなく、地上放送でも構わないし、アナログ放送でもデジタル放送でも構わない。
【０１１５】
又、衛星放送のケースでも、放送衛星（ＢＳ）を使った放送であっても構わないし、通信衛星（ＣＳ）を使った放送であっても構わない。
【０１１６】
又、例えばＣＡＴＶ放送等であっても構わないし、インターネットを経由して配信されるような、放送であっても構わないし、その他各種ネットワークを使って放送或いは配信されるものであっても構わないし、オンデマンド方式（ＶＯＤ）で配信されるような、放送であっても構わない。
【０１１７】
或いは更に必ずしも映像情報の放送でなく、データ放送のような、何等かの情報であれば何であっても構わない。
【０１１８】
この録画機１１２の概略構成図を図２に示す。他の録画機１１３、録画機１１４、録画機１１５も基本的にその構成は録画機１１２と同様である。
【０１１９】
この録画機１１２は、チューナ１５１、復調器１５２、デコーダ１５３、ＭＵＸ１５５、ＲＡＭ１５４、コンポーザ１５７、グラフィック処理コントローラ１５８、ユーザ・インターフェース（Ｕ／Ｉ）制御部１５６、リモコン１６０、バス１５０、ＣＰＵ１３１、通信インターフェース（Ｉ／Ｆ）１３９、ＩＥＥＥ１３９４インターフェース（Ｉ／Ｆ）１３５、ＲＡＭ１３２、ＲＯＭ１３３、ＨＤＤインターフェース（Ｉ／Ｆ）１３６、ＨＤＤ１３７、電源部１４４の主要部から構成される。
【０１２０】
これら主要部については、従来の受信局９１２で説明したものと同一名称のものについては、ほぼ同一機能であるから、同一機能の部分については再度同一説明を行うことは省略し、異なる部分についてのみ以下に説明する。
【０１２１】
チューナ１５１に入力される放送コンテンツ１７０、ＭＵＸ１５５から出力される音声を再現するスピーカ１６２、映像を表示するディスプレイ１６１、ＩＥＥＥ１３９４Ｉ／Ｆ１３５に接続されたビデオレコーダ１６４、通信Ｉ／Ｆ１３９を経由して接続されているインターネット１１９についても同様である。
【０１２２】
又、このインターネット１１９が、必ずしもインターネットに限るものではなく、どのようなネットワークであっても良いことは、上記の通りである。
【０１２３】
放送コンテンツ１７０も、必ずしも衛星放送に限るものではなく、地上放送でも構わないし、アナログ放送でもデジタル放送でも構わないし、データ放送であっても構わないし、その他、どのような放送のコンテンツであっても良いことも、上記の通りである。
【０１２４】
又、この実施の形態では、この録画機１１２が録画することのできる記録媒体としてビデオレコーダ１６４とＨＤＤ１３７とを示しているが、必ずしもこれらの両方を備えていることは必要でなく、どちらか一方でも構わないし、これらのどちらでもなく、例えばＤＶＤ（デジタル・バーサタイル・ディスク）や、例えば、フラッシュメモリやその他の各種半導体メモリ、特に不揮発性の各種半導体メモリやバックアップ用電源でバックアップされた各種半導体メモリ等の半導体メモリを内蔵している各種のメモリカードやメモリディスク、例えばＳＤカード等や、その他の各種映像情報を記録できるものであるなら何であっても構わない。
【０１２５】
尚、以下の説明では、ＨＤＤ１３７に録画するものと仮定をし、ＨＤＤ１３７についてのみ説明をするが、他のビデオレコーダ１６４や、その他の各種記録媒体が使用される時でも、実質的には同様である。
【０１２６】
この録画機１１２には、電源部１４４が存在する。主要部の構成としては、この点で従来の受信局９１２と大きく異なっている。
【０１２７】
この電源部１４４は、ＨＤＤ１３７を使用する時と使用しない時とで、ＨＤＤ１３７の電源だけを個別にオンオフし、省電力化を図るためである。
【０１２８】
この実施の形態の図２では、ＨＤＤ１３７の電源だけを個別に制御するかのように描いているが、これは一例であって、例えばＨＤＤＩ／Ｆ１３６を含めて同時にオンオフしても構わないし、それ以外の部分をも含めて同時にオンオフしても構わない。
【０１２９】
又、録画にＨＤＤ１３７を使用するのではなく、ビデオレコーダ１６４を使用する時には、ビデオレコーダ１６４の電源を個別にオンオフするが、これについては説明を省略する。
【０１３０】
録画機１１２が、従来の受信局９１２と最も異なるのは、録画機１１２は、従来の受信局９１２のように特別な録画センター局９１４に対して録画の代行を依頼するのではなく、自分と同様の構成である録画機１１３や録画機１１４や録画機１１５同士で、録画の代行の依頼を互いに行い合うことである。
【０１３１】
この録画の代行の依頼と受諾の方法を、以下に詳細に説明する。
【０１３２】
録画機１１２では、利用者がリモコンやＵ／Ｉ制御部１５６に直接接続されたスイッチ等（図示せず）を使用して、録画の指示や録画の予約を行うことができる。
【０１３３】
これについては、従来の受信局９１２や、その他一般に多く使用されているＶＴＲや、ＤＶＤ等と違わないので説明は省略する。
【０１３４】
録画機１１２で録画の予約が行われると、その情報はＣＰＵ１３１の制御によって、内部のＲＡＭ１３２に、図３のような録画予定表の形式で記憶される。
【０１３５】
図３の例では、例えば７つの番組が録画予約されている状態を示している。
【０１３６】
例えば、「Ｎｏ」の欄には、一連番号が付され、以後に説明する各種制御のために利用される。この例では、０１から０７の番号が付されている。
【０１３７】
「ＤＡＴＥ」の欄には、録画を行う予定年月日が記憶されている。例えば、番号０１の録画予約は、２００４年２月３日に録画が行われることを示しており、例えば、番号０７の録画予約は、２００４年２月９日に録画が行われることを示している。
【０１３８】
「ＷＥＥＫ」の欄には、録画を行う予定の週が記憶されている。例えば、番号０１の録画予約が行われるのは火曜日であり、例えば、番号０７の録画予約が行われるのは月曜日であることが示される。
【０１３９】
「ＴＩＭＥ−Ｓ」の欄には、録画が開始される予定時間と分とが記憶されている。例えば、番号０１の録画予約は、午前９時丁度に録画が開始されることを示しており、例えば、番号０７の録画予約は、午後１１時３０分に録画が開始されることを示している。
【０１４０】
「ＴＩＭＥ−Ｅ」の欄には、録画が終了する予定時間と分とが記憶されている。例えば、番号０１の録画予約は、午前９時３０分に録画が終了することを示しており、例えば、番号０７の録画予約は、午後１１時５７分に録画が終了することを示している。
【０１４１】
「ＣＨＡＮ」の欄には、録画が行われる放送のチャンネル番号が記憶されている。例えば、番号０１の録画予約は、第５３チャンネルで放送される放送コンテンツの録画を行うことを示しており、例えば、番号０７の録画予約は、第０１チャンネルで放送される放送コンテンツの録画を行うことを示している。
【０１４２】
「ＱＵＡＬ」の欄には、録画が行われる時の映像品質が記憶されている。例えば、番号０１の録画予約は、その録画の映像品質がＳＶＧＡであることを示しており、例えば、番号０７の録画予約は、その録画の映像品質がＳＶＨＳであることを示しており、例えば、番号０３の録画予約は、その録画の映像品質がハイビジョン（Ｈ−Ｖ）であることを示している。
【０１４３】
尚、ここで示すのはあくまでも録画予定表の一例であり、必ずしもこのような形態に限るものではない。
【０１４４】
例えば、番号（Ｎｏ）は一連番号でなく、飛び飛びの番号であっても構わないし、アルファベットや仮名や漢字等の文字を含むものであっても構わない。
【０１４５】
日付も、必ずしも年を含まなくても構わないし、例えば月と日とを分けず、１年の３６５日を一連の番号で示していても構わない。
【０１４６】
週も必ずしも含んでいなくても構わない。
【０１４７】
録画の開始時刻も必ずしも午前と午後とを分けず、２４時間表示であっても構わないし、秒や１／１０秒や、１／１００秒まで含んでいても構わない。録画の終了時刻も同様である。
【０１４８】
或いは、録画の開始時刻と録画の終了時刻を含むのではなく、録画の開始時刻と録画の継続時間とを含んでいても構わない。
【０１４９】
例えば、「１３時３０分から、１２３分４０秒間録画を行う」のような形式であっても構わない。
【０１５０】
チャンネル番号もこのような番号形式でなく、放送局を表す名称や記号、例えば、「ＢＳデジタルＮＨＫ第１」のような形式でも構わないし、その他の何等かの記号や略称が使われても構わない。
【０１５１】
録画の品質も必ずしもこのような形式ではなく、例えば、１画面の走査線の本数や、ドット数や、解像度や、毎秒当たりのフレーム数や、色数や、各種方法で記憶されても構わないし、必ずしもこの録画予定表に含まれていなくても構わない。
【０１５２】
あくまでもこの録画予定表は一例であって、これと同様のものや、同等の機能を果たすものであればどのような形式であっても構わないし、一部の機能は含んでいないものであっても構わない。
【０１５３】
例えば、以下の説明で必ずしも必要ではないので省略しているが、この録画予定表には各番組毎にその番組の録画予定を行ったユーザを特定する情報、例えばユーザＩＤやユーザ名が含まれていることもあり、或いは各番組毎に所定の録画優先度等の情報が含まれることもあり、或いは各番組毎に例えばＥＰＧ（電子プログラムガイド）に含まれる番組ＩＤが含まれることもある。
【０１５４】
この番組ＩＤが含まれるケースでは、この番組ＩＤを番組を特定する情報として利用することもできる。
【０１５５】
或いは又、各番組毎にその著作権情報が含まれることもある。この著作権情報が含まれるケースでは、その著作権情報は、例えば各録画機の映像品質情報と共に、複数の同一番組の録画予定が行われている時、その録画予定を取り止めたりそのまま存続させる録画予定を選択決定する１つの基準として使用することもできる。
【０１５６】
又、この録画予定表（図３）は、後述する録画機表（図４）や、録画代行依頼リスト（図５）や、録画代行受諾リスト（図６）と共に、本発明に係る録画予定リストの全部又は一部を構成するものであり、このようにそれぞれがバラバラに分割された状態で存在しなければならない訳ではなく、これらが全て１つの表やリストとしてまとめられて存在しても構わないし、一部だけがまとめられたり、他の状態に分割されたり、種々の形態で記憶されていても構わない。
【０１５７】
又、これらの録画予定表（図３）や録画機表（図４）や録画代行依頼リスト（図５）や録画代行受諾リスト（図６）は、個人のプライバシーの保護、セキュリティ、必要の無い者には見せたくない、何等かの理由や目的によって改ざんされることを防止する、等のためにアクセスするには一定の認証を経ることが必要であるように制御し、正当な権限を有さない者の要求に対してはその内容が外部に出力されないように制御する実施の形態も可能である。このような制御方式は例えばパスワードを使ったり、指紋情報を使ったり、その他通常使用されている各種の認証方式その他を使用することができる。
【０１５８】
或いは他の実施の形態では、これらの録画予定表（図３）や録画機表（図４）や録画代行依頼リスト（図５）や録画代行受諾リスト（図６）は、必ずしも各録画機１１２が個別に持っていることは必要でなく、例えばネットワークに接続されたサーバのような装置が、まとめて記憶している実施の形態であっても構わない。
【０１５９】
そしてこの録画機１１２は、上記の通り、他の録画機、例えば上記録画機１１３や録画機１１４や録画機１１５に録画の代行を依頼する。
【０１６０】
そのために、録画機１１２は、自分が録画の代行の依頼を行う、或いは、自分が録画の代行を依頼される可能性があり、又、それが可能である録画機のリストである、録画機表を、ＲＡＭ１３２に記憶している。この録画機表の一例を図４に示す。
【０１６１】
図４に示す例では、例えば、この録画機１１２は、７台の他の録画機に対して録画の代行を依頼する、或いは依頼される可能性があり、又それが可能であることを示している。
【０１６２】
「Ｎ−ＡＤＲＳ」の欄には、この録画の代行を依頼する、或いは依頼される可能性があり、又それが可能である録画機のネットワーク上のアドレスを記憶している。
【０１６３】
録画の代行を依頼するには、そのネットワーク上のアドレスが解っていることが不可欠だからである。
【０１６４】
この例では、例えば仮に、４つの数字からなる、インターネット・プロトコル・アドレスのような例を示しているが、これはあくまでも一例であり、どのような形式でネットワーク上のアドレスが特定されていても構わない。
【０１６５】
例えば、インターネットのＵＲＬ（ユニフォーム・リソース・ロケイター）のような形式や、電子メールアドレスのような形態や、例えば何等かのニックネームのような形式や、一連番号や、その他各種の形式が有り得るが、それらのどのような形式であっても構わず、要はネットワーク上で相手を特定し、情報を送受信することができれば良い。
【０１６６】
「ＲＥＱ」の欄には、この録画機１１２から、この行に記憶されているアドレスの録画機に対して録画の代行の依頼が可能であるか否かが記憶されている。「○」は録画の代行の依頼が可能であることを示し、「×」は録画の代行の依頼ができないことを示している。
【０１６７】
「ＡＣＣ」の欄には、「ＲＥＱ」とは逆に、この録画機１１２が、この行に記憶されているアドレスの録画機から録画の代行の依頼を受諾することが可能であるか否かが記憶されている。「○」は録画の代行の依頼の受諾が可能であることを示し、「×」は録画の代行の依頼が受諾できないことを示している。
【０１６８】
従って、「ＲＥＱ」と「ＡＣＣ」との欄の両方が「○」である他の録画機とは、互いに録画の代行を依頼し、依頼されることが可能である。
【０１６９】
どちらか一方だけが「○」の録画機とは、どちらか一方から他方に対する録画の代行依頼だけが可能であり、その逆方向の依頼はできない。
【０１７０】
両方が「×」である録画機とは、互いに録画の代行を依頼することもできないし、依頼されることもできない。
【０１７１】
本来は、このように両方が「×」の録画機は、この録画機表に登録されないハズであるが、何等かの事情、例えば一時的な故障や、負荷の増大や、その他各種何等かの事情によって、一時的に或いは幾分長期に亘って、両方が「×」になる可能性も無いとは言えない。
【０１７２】
但し、このような録画機表の全てを含んでいることは必ずしも必要ではなく、例えば「ＲＥＱ」や「ＡＣＣ」のどちらか一方だけの情報しか記憶していない実施の形態であっても構わない。
【０１７３】
例えば、「ＡＣＣ」の欄を含まない実施の形態では、録画機表に記憶されている全ての録画機から録画の代行の依頼を受諾することが可能であるように設定しても良いし、その他の何等かの基準に従って受諾の可否を判断する実施の形態であっても構わない。
【０１７４】
「Ｂ−ＮＥＴ」の欄には、この行に登録されている録画機が受信できる放送ネットワークが記憶されている。
【０１７５】
例えば、「ＡＮ」はこの録画機では地上波アナログ放送が受信可能であることを示し、「Ｄ」はこの録画機では地上波デジタル放送が受信可能であることを示し、「ＢＳ」はこの録画機では放送衛星によるデジタル放送が受信可能であることを示し、「ＣＳ」はこの録画機では通信衛星によるデジタル放送が受信可能であることを示している。
【０１７６】
相手の録画機に録画の代行を依頼するには、相手の録画機がどのような放送を受信することができるか、解っていることが便利だからである。
【０１７７】
しかしながら、この情報は必ずしも解っていることが不可欠ではなく、例えば録画の依頼を行ってから、相手の録画機がその放送を受信できなければ、録画代行不可を回答するような実施の形態であっても構わない。
【０１７８】
或いは、このような放送ネットワークの種類だけでなく、他の種類、例えば一定のＣＡＴＶ放送が受信可能であるようなケースも有り得るし、インターネットを経由した配信放送が受信可能であるようなケースも有り得るし、オンデマンド形式の放送が受信可能であるようなケースも有り得るが、このようなケースではこれらの放送が受信可能であることを示す情報が加わることもある。
【０１７９】
或いは、このように受信可能な放送ネットワークを記憶するのでなく、より直接的に受信可能なチャンネルを記憶するような形式であっても構わない。
【０１８０】
更に、このような情報を含んでいなくても構わない。これについては既に上記の通りである。
【０１８１】
「ＱＵＡＬ」の欄には、この行に記憶されている録画機の録画映像品質が記憶されている。
【０１８２】
録画の代行を依頼する相手が幾つかある時、なるべく画質のよい録画機に録画の代行を依頼したり、或いは逆にそれほど画質の良くない録画機に録画の代行の依頼をしたり、或いは自分と同程度の画質の録画機に録画の代行の依頼をしたりする判断のために、これらの情報が必要になるからである。
【０１８３】
しかしながら、これもあくまでも一例であり、必ずしもこのような情報は無くても構わない。その時は、画質によって録画の代行を依頼する録画機を選択することができなくなるだけである。
【０１８４】
或いは、それでもどうしても画質によって録画の代行を依頼する録画機を選択したい時には、その都度相手の録画機に、画質を問い合わせる実施の形態も可能である。
【０１８５】
又、この録画機の録画映像品質も、チャンネル毎や、放送ネットワークの種類毎、例えば、「ＢＳ」や「ＡＮ」とでは異なる可能性もあるが、そのようなケースについても、本質的には大きく異ならないので、説明を省略する。
【０１８６】
次に、このような録画機１１２で、録画の代行の依頼をする手順について、図７を中心に説明する。
【０１８７】
上記の通り、録画機１１２のリモコン１６０、或いはその他のスイッチ、例えばユーザの保有する携帯電話機等を使用した電子メールやウエブアクセスやその他の方法によって、ユーザが録画の予約を行ったと仮定する（Ｓ７０１）。
【０１８８】
この情報がＣＰＵ１３１へ送られると、ＣＰＵ１３１では、ＨＤＤ１３７にこの録画予約された番組を録画するのに必要な記録領域が残っているか否か、或いは、例えばビデオレコーダ１６４が使用されるケースでは、ビデオレコーダ１６４に記録メディアが装着されているか否か、或いは、ＨＤＤ１３７にその他録画することのできない何等かの事情、例えば、故障等が無いか否か、或いは又、例えば録画予定表（図３）を参照することによって、同一時刻に他の番組が既に録画予約されていないか否か、等を判断し、この録画予約された番組を、自分自身の録画機１１２で録画可能か否かの判断を行う（Ｓ７０２）。
【０１８９】
そして自分自身の録画機１１２で録画が可能であると判断されれば（Ｓ７０２でＹｅｓ）、自分の録画予定表（図３）にこの録画予約された番組の登録を行う（Ｓ７０３）。
【０１９０】
そしてこの録画予定表に従って、予定の時刻になると予約された録画を実行する（Ｓ７０４）。
【０１９１】
この録画が、何等問題なく正常に実行されれば（Ｓ７０５でＹｅｓ）、そのまま正常に最後まで録画を実行し（Ｓ７０６）、全ての手順が正常に終了する。
【０１９２】
上記何等かの事情によって、録画予約された番組が自分自身である録画機１１２では録画できないと判断された時（Ｓ７０２でＮｏ）や、或いは、録画予約された番組が自分自身である録画機１１２で録画できると判断された（Ｓ７０２でＹｅｓ）にも拘らず、その後の何等かの事情、例えば何等かの故障や、途中でビデオレコーダ１６４の記録メディアが抜き取られたり、ＨＤＤ１３７の容量が一杯になってしまった等、の事情によって、録画の実行を開始したところそれが正常に実行できなかった時（Ｓ７０５でＮｏ）には、録画機表（図４）から、録画予約された番組の録画の代行を依頼することのできる他の録画機を選択する（Ｓ７０７）。
【０１９３】
この選択の方法として、録画機表の「ＲＥＱ」が「○」印のものを選ぶことは上記の通りである。
【０１９４】
又、「Ｂ−ＮＥＴ」の情報から、録画代行を依頼しようとする番組を受信することができる録画機を選択することも上記の通りである。
【０１９５】
又、この番組を録画することのできる録画機が複数ある時、その中から例えば「ＱＵＡＬ」の情報等を使って、１つの録画機を選択することも既に上記の通りである。
【０１９６】
或いは必ずしも１つの録画機を選択するとは限らず、何等かのエラーに備えたり、冗長を持たせたり、その他の各種目的のために複数の録画機を選択し、これらの複数の録画機に対して後述する録画の代行を依頼しても構わない。
【０１９７】
しかしながら、あくまでもこれは一例であって、このような方法に限るものではない。
【０１９８】
このようにして、録画予約された番組の録画の代行を依頼する録画機が決定すると、次にこの録画機に対して録画の代行の依頼を行う（Ｓ７０８）。
【０１９９】
この録画の代行の依頼は、例えば、録画機表（図４）の「Ｎ−ＡＤＲＳ」に記憶しているネットワークアドレスに対して、電子メールを送る等の方法で行うことができる。
【０２００】
或いは、その他の通信方法で依頼データや、要求コマンドを送る等、各種方法が考えられるが、どのような方法であっても構わない。
【０２０１】
この依頼情報には、録画の代行を依頼する対象の番組を特定する情報や、自分自身の録画機を特定する情報は、少なくとも含まれていなければならない。しかしながらこれら以外にどのような情報を含んでいるか、例えば、その番組の録画をして欲しい映像品質を指定するとか、その番組が放送されるチャンネル番号を含めるとか、或いはこれらの情報をどのような構造で含めるとか等については、必ずしも特定の内容や形式に限るものではなく、どのような内容や形式であっても構わないので、詳細な説明は省略する。
【０２０２】
次に、この録画の代行の依頼を受けた録画機側では、録画代行依頼を受けた番組の録画代行が可能か否かの判断を行う（Ｓ７０９）。
【０２０３】
この判断の手順については、後で図８を中心に詳細に説明するので、ここでは説明を省略する。
【０２０４】
録画の代行の依頼を受けた録画機側で、録画代行依頼を受けた番組の録画代行が可能であると判断され、その回答を受信すると（Ｓ７０９でＹｅｓ）、録画の代行を依頼した録画機１１２では、録画代行依頼リスト（図５）と録画予定表（図３）とに、その旨の登録を行い（Ｓ７１０）、以上で録画予約の手順の全てを正常に終了する。
【０２０５】
録画の代行の依頼を受けた録画機側で、録画代行依頼を受けた番組の録画代行が不可能であると判断され、その回答を受信すると（Ｓ７０９でＮｏ）、録画の代行を依頼した録画機１１２では、上記のような方法と条件で、録画の代行の依頼をすることができる他の録画機が残っているか否かの判断を行う（Ｓ７１１）。
【０２０６】
録画の代行の依頼をすることができる他の録画機が存在すれば（Ｓ７１１でＹｅｓ）、その録画機を選択し（Ｓ７０７）、その録画機に対して録画の代行の依頼を行う（Ｓ７０８）。
【０２０７】
以上の処理（Ｓ７０７からＳ７０９）を繰り返し実行する。
【０２０８】
そして、上記のような方法と条件で、他の録画機に録画の代行の依頼をすることが可能であるか否かの判断を行い（Ｓ７１１）、録画の代行の依頼をすることができる他の録画機が無くなってしまったならば（Ｓ７１１でＮｏ）、ユーザに対してＵ／Ｉ制御部１５６を使用するか或いはリモコン１６０を使用するか、或いは例えばユーザの保有する携帯電話機等に電子メールを送信したり、音声メッセージを発呼したり、その他の何等かの方法で、録画予約の実行が不可能であることをユーザに知らせて（Ｓ７１２）、録画予約の手順を異常終了する。
【０２０９】
或いは、他の実施の形態では、録画の代行の依頼を受けた録画機側で、録画代行依頼を受けた番組の録画代行が不可能であると判断され、その回答を送信する時（Ｓ７０９でＮｏ）、その理由を付して回答を送信し、録画の代行を依頼した録画機１１２では、その送信された理由を勘案して再度録画の代行を依頼することもある。
【０２１０】
例えば、録画代行依頼を受けた番組の録画代行が不可能であると回答する理由が、既にその時間に他の録画機或いは同一録画機から録画の代行依頼を受けていることであったならば、その既に受けている代行依頼をキャンセルし、或いはそれ以上の優先度で本録画代行を行うよう依頼することもできる。
【０２１１】
このような録画の代行の依頼は何等かの契約等を前提に行われるものであり、その契約内容によっては、録画代行依頼に優先順序を設定する実施の形態もあり、そのような実施の形態では、上記のように予め設定されている録画代行の依頼をすることのできる全ての録画機に録画の代行依頼を行ったところ、その全ての録画機から録画代行不可の回答を受けたような時や、それ以外の時でも、より高い優先順序に再設定し、再度これらの録画機に対して録画代行依頼を試みることもできる。
【０２１２】
次に、上記手順の過程で録画代行の依頼（Ｓ７０８）を受信した他の録画機が実行する録画代行が可能であるか否かの判断（Ｓ７０９）の手順について、図８を中心に説明する。
【０２１３】
この手順は、或る録画機１１４が他の録画機（例えば録画機１１３）から、録画代行の依頼の情報を受信する（Ｓ８０１）ことによって開始される。この代行の依頼は、例えばインターネット１１９を経由して電子メールやその他の形式で行われるが、これについては既に上で説明した通りである。
【０２１４】
この録画代行の依頼の情報は、例えばインターネット１１９から通信Ｉ／Ｆ１３９を経由して、ＣＰＵ１３１へ入力され、ＣＰＵ１３１でその情報を解析し、判断を行って、録画代行受諾の手順が開始される。
【０２１５】
他の録画機１１３からの録画代行依頼を受信した録画機１１４は、その内部のＲＡＭ１３２に記憶している他の録画機表を参照することによって、その他の録画機１１３が、自分自身である録画機１１４に対して、正当に録画依頼をすることのできる他の録画機１１３であり、この録画の代行依頼を受諾することが可能であるか否かの判断を行う（Ｓ８０２）。
【０２１６】
この録画の代行を依頼する情報には、上記の通り、少なくともその代行依頼を行った他の録画機１１３を特定する情報、例えば図４に示す他の録画機表に含まれる「Ｎ−ＡＤＲＳ」のようなネットワーク上のアドレス情報等を含んでいるので、まずその録画機１１３を特定する情報と他の録画機表の情報を比較することによって、その録画機１１３が録画機表に登録されていることを確認し、更に次にその録画機１１３の録画機表のＡＣＣの欄が「○」になっていれば、その録画機１１３が、自分自身である録画機１１４に対して、正常に録画の代行依頼をすることのできる録画機１１３であることが確認される。
【０２１７】
これによって、何等権限のない録画機や、或いは未知の録画機から突然録画の代行を依頼されたり、その他不正な録画代行依頼を排除することが可能になる。
【０２１８】
しかしながら、これはあくまでも一例であって、必ずしもこのような確認を行わない実施の形態であっても構わないし、他の何等かの方法によって録画代行依頼の権限を確認するような実施の形態であっても構わない。
【０２１９】
このようにして、録画の代行の依頼を行った他の録画機１１３の権限を確認した結果、その他の録画機１１３からの録画代行の依頼は受諾できないと判断したならば（Ｓ８０２でＮｏ）、その他の録画機１１３に対して録画の代行の不可を通知する（Ｓ８１３）。
【０２２０】
この録画の代行の不可の通知は、例えば通信Ｉ／Ｆ１３９からインターネット１１９を経由した電子メール形式やその他の形式で行われる。しかしながらこれは一例であって、その他のどのような方法で行われても構わない。
【０２２１】
或いは又、他の実施の形態では、不正な録画の代行要求に対しては、何等の応答を行わず、無視するような実施の形態であっても構わない。
【０２２２】
他の録画機１１３から録画代行要求を受信した録画機１１４は、この録画代行依頼が正当なものであると判断されたならば（Ｓ８０２でＹｅｓ）、次にこの録画代行の依頼をされた番組を自分自身で録画可能であるか否かの判断を行う（Ｓ８０３）。
【０２２３】
録画の代行を依頼する情報には、少なくとも録画を依頼する番組を特定する情報を含んでいなければならず、この番組を特定する情報を参照することによって、この依頼された番組を自分自身で録画することが可能であるか否かを判断することができる。
【０２２４】
この手順は、前に録画予約を受けた録画機１１２が、その録画予約された番組を自分自身で録画することが可能であるか否かの判断（図７のＳ７０２）と同様であるから、詳細な説明は省略し、要旨だけを簡単に説明する。
【０２２５】
自分自身で代行依頼された番組の録画が可能であるか否かの判断条件の要旨は、ＨＤＤ１３７にこの録画代行依頼された番組を録画するのに必要な記録領域が残っているか否か、或いは、例えばビデオレコーダ１６４が使用されるケースでは、ビデオレコーダ１６４に記録メディアが装着されているか否か、或いは、ＨＤＤ１３７にその他録画することのできない何等かの事情、例えば、故障等が無いか否か、或いは又、例えば録画予定表（図３）を参照することによって、同一時刻に他の番組が既に録画予約されていないか否か、或いはより基本的に、この録画代行依頼された番組を、自分自身の録画機１１４で受信可能か否か、或いはこの録画代行要求を受信した録画機１１４の利用者がマニュアル操作やその他の何等かの方法で録画代行依頼を受諾しないような設定を行っている等である。
【０２２６】
しかしながら又一方、録画の代行を依頼する他の受信機側で、これらの事情の全部又はその一部、例えばその番組が受信可能であることを確認したうえで、録画の代行の依頼を行うような実施の形態では、その判断の一部を省略するような実施の形態であっても構わない。
【０２２７】
録画の代行の依頼をされた番組を自分自身である録画機１１４が録画の代行をすることが可能であると判断されたならば（Ｓ８０３でＹｅｓ）、自分自身の録画予定表（図３）と、自分自身の録画代行受諾リスト（図６）とに、この録画代行依頼された番組の登録を行う（Ｓ８０４）。
【０２２８】
そしてこの録画予定表に従って、予定の時刻になると代行依頼された録画を実行する（Ｓ８０５）。
【０２２９】
この録画が、何等問題なく正常に実行されれば（Ｓ８０６でＹｅｓ）、そのまま正常に最後まで録画を実行し（Ｓ８０７）、全ての録画代行受諾の手順が正常に終了する。
【０２３０】
上記何等かの事情によって、録画代行依頼された番組が自分自身である録画機１１４では録画できないと判断された時（Ｓ８０３でＮｏ）や、或いは、録画代行依頼された番組が自分自身である録画機１１４で録画できると判断された（Ｓ８０３でＹｅｓ）にも拘らず、その後の何等かの事情、例えば何等かの故障や、途中でビデオレコーダ１６４の記録メディアが抜き取られたり、ＨＤＤ１３７の容量が一杯になってしまった等、の事情によって、録画の実行を開始したところそれが正常に実行できなかった時（Ｓ８０６でＮｏ）には、録画機表（図４）から、録画代行依頼された番組の録画の再代行を依頼することのできる他の録画機を選択する（Ｓ８０８）。
【０２３１】
この選択の方法として、録画機表の「ＲＥＱ」が「○」印のものを選ぶことは上記の通りである。
【０２３２】
又、「Ｂ−ＮＥＴ」の情報から、録画代行を依頼しようとする番組を受信することができる録画機を選択することも上記の通りである。
【０２３３】
又、この番組を録画することのできる録画機が複数ある時、その中から例えば「ＱＵＡＬ」の情報等を使って、１つの録画機を選択することも既に上記の通りである。
【０２３４】
しかしながら、あくまでもこれは一例であって、このような方法に限るものではなく、必ずしもこのように再代行の依頼は行わず、自分自身で録画の代行を行うことができなければ、その旨を録画の代行依頼元に対して通知する（Ｓ８１３）ような実施の形態であっても構わない。
【０２３５】
例えば、このようにして、録画代行依頼された番組の録画の再代行を依頼する録画機が決定すると（Ｓ８０８）、次にこの録画機に対して録画の再代行の依頼を行う（Ｓ８０９）。
【０２３６】
この録画の再代行の依頼は、例えば、録画機表（図４）の「Ｎ−ＡＤＲＳ」に記憶しているネットワークアドレスに対して、電子メールを送る等の方法で行うことができるし、他の方法で行われても構わない。これについても既に上記の通りである。
【０２３７】
この録画の再代行の依頼情報に含まれる情報も、既に上記の通りであるから、詳細な説明は省略する。
【０２３８】
次に、この録画の再代行の依頼を受けた録画機側では、録画再代行依頼を受けた番組の録画再代行が可能か否かの判断を行う（Ｓ８１０）。
【０２３９】
この判断の手順については、現在説明している録画代行の判断と同じである。
【０２４０】
録画の再代行の依頼を受けた録画機側で、録画再代行依頼を受けた番組の録画代行が可能であると判断され、その回答を受信すると（Ｓ８１０でＹｅｓ）、録画の再代行を依頼した録画機１１４では、録画代行依頼リスト（図５）と録画予定表（図３）とに、その旨の登録を行い（Ｓ８１１）、以上で録画代行受諾の手順の全てを正常に終了する。
【０２４１】
録画の再代行の依頼を受けた録画機側で、録画再代行依頼を受けた番組の録画再代行が不可能であると判断され、その回答を受信すると（Ｓ８１０でＮｏ）、録画の再代行を依頼した録画機１１４では、上記のような方法と条件で、録画の代行の依頼をすることができる他の録画機が残っているか否かの判断を行う（Ｓ８１２）。
【０２４２】
録画の再代行の依頼をすることができる他の録画機が存在すれば（Ｓ８１２でＹｅｓ）、その録画機を選択し（Ｓ８０８）、その録画機に対して録画の再代行の依頼を行う（Ｓ８０９）。
【０２４３】
以上の処理（Ｓ８０８からＳ８１０）を繰り返し実行する。
【０２４４】
そして、上記のような方法と条件で、他の録画機に録画の再代行の依頼をすることが可能であるか否かの判断を行い（Ｓ８１２）、録画の代行の依頼をすることができる他の録画機が無くなってしまったならば（Ｓ８１２でＮｏ）、録画の代行依頼を行った他の録画機１１３に対して、通信Ｉ／Ｆ１３９を介し、インターネット１１９を経由するか或いはその他の何等かの方法で、録画代行の実行が不可能であることを通知し（Ｓ８１３）、録画代行受諾の手順を異常終了する。
【０２４５】
この録画代行の受諾が不可であると回答する時、その理由を付して回答を行い、その回答を受けた依頼元では、その理由を勘案して再度依頼、例えばより高い優先度で録画代行の依頼を行う実施の形態もあることは、上記の通りである。
【０２４６】
以上で図８を使った録画再代行依頼の手続きと処理に関する説明を終り、元の図７を使った録画代行依頼の手続きと処理に関する説明に戻る。
【０２４７】
上記の通り、録画機１１２が他の録画機（例えば録画機１１５）に対して録画の代行を依頼するのは、録画機１１２のＨＤＤ１３７にこの録画予約された番組を録画するのに必要な記録領域が残っていない時や、或いは、例えばビデオレコーダ１６４が使用されるケースでは、ビデオレコーダ１６４に記録メディアが装着されていない時や、或いは、ＨＤＤ１３７にその他録画することのできない何等かの事情、例えば、故障等がある時や、或いは又、例えば同一時刻に他の番組が既に録画予約されているような時である。
【０２４８】
しかしながらこのような事情が録画機１１２に存在した時でも、実際に依頼した録画の代行が開始されるまでに、このような事情が解消することもある。
【０２４９】
このように自分が録画予約された番組を自ら録画することができないような事情が解消された時には、本実施の形態では例えば、録画代行要求取り消し情報を、録画機１１２は録画の代行を依頼した他の録画機１１５に送信することができ、これによって録画機１１５に対する録画の代行依頼を取り消し、録画機１１２は自ら録画を行うことも可能である。
【０２５０】
この録画機１１２による録画代行依頼の取り消しは、録画機１１５が録画代行依頼された番組の録画を開始する前に行われることもあるし、録画機１１５が録画代行依頼された番組の録画を開始した後に行われることもある。
【０２５１】
録画機１１２による録画代行依頼の取り消しが、録画機１１５が録画代行依頼された番組の録画を開始する前に行われた時には、録画機１１２は録画代行依頼を取り消した番組の録画を最初から行う。
【０２５２】
録画機１１２による録画代行依頼の取り消しが、録画機１１５が録画代行依頼された番組の録画を開始した後に行われた時には、録画機１１２は録画代行依頼を取り消した番組の録画を、その代行依頼を取り消した後から行う。そして録画代行依頼を取り消す前に録画機１１５が録画した番組と、録画代行依頼を取り消した後に自ら（録画機１１２）が録画した番組とのつなぎ合わせを行う。
【０２５３】
但し、このつなぎ合わせは必ずしも録画機１１２が行うとは限らず、録画機１１５が行っても構わないし、その他の何等かの機器が行っても構わない。
【０２５４】
しかしながら、必ずしもこのようなケースでは録画の代行依頼を取り消さなければならない訳ではなく、他の実施の形態や或いは他の何等かの事情、例えば契約的な事情や、費用に係わる事情等があるようなケースでは、録画の代行の依頼を取り消すことなく、そのまま録画の代行を依頼したままにすることもある。
【０２５５】
（実施の形態２）
次に本発明の録画装置の実施の形態２である録画機４１２について説明する。この本発明の実施の形態２の録画機４１２はその多くの部分で本発明の実施の形態１の録画機１１２と同様であるから、同一部分については重ねて説明することは行わず、異なる部分だけを取り出して説明する。
【０２５６】
従って、特に明確に断らない限り、本発明の実施の形態２の録画機４１２は本発明の実施の形態１の録画機１１２と同じである。
【０２５７】
本実施の形態の録画機４１２では、録画予約が行われたとき、その予約された録画を自分自身で行うか、或いはネットワークに接続された他の録画機に代行を依頼するかの処理手順だけが異なっている。
【０２５８】
そこで、この処理手順を中心に、図９を使って詳細に説明する。
【０２５９】
本実施の形態の録画機４１２の主要な構成は図２に示す録画機１１２の概略構成図と本質的に同一であるから、特に違いを断らない限り図２を使って説明をする。
【０２６０】
本実施の形態の録画機４１２では、リモコン１６０又はＵ／Ｉ制御部１５６や、その他パソコンや携帯電話等からの電子メールやその他の方法による通信や、その他の各種方法を使ってユーザによる録画の予約が行われ、その情報はバス１５０を経由してＣＰＵ１３１へ送られ、ＣＰＵ１３１の制御によって録画予約の処理が実行される（Ｓ９０１）。ここまでの処理手順は本発明の実施の形態１と同様である。
【０２６１】
本実施の形態の録画機４１２では、録画予約の入力が行われると、まず他の録画機表（図４に示すものと同じ）を参照して、この録画予約された番組の録画を他の録画機に代行依頼することが可能であるか否かの判断を行う。
【０２６２】
上記本発明の実施の形態１の録画機１１２では、まず最初に自分自身で録画が可能であるか否かの判断を行い（Ｓ７０２）、それが出来ないと判断された時にのみ（Ｓ７０２でＮｏ）、他の録画機に代行を依頼することが可能であるか否かの判断を行った（Ｓ７０７からＳ７０９）。
【０２６３】
この点において、本発明の実施の形態１の録画機１１２と本発明の実施の形態２の録画機４１２とは大きく相違している。
【０２６４】
この録画予約された番組の録画を他の録画機に代行依頼することが可能であるか否かの判断の内容は、本発明の実施の形態１の録画機１１２が行う内容と本質的同一であるから、簡単にその要旨だけを説明する。
【０２６５】
その手順は、まず最初に録画機表（図４と同じ）を参照することによって、録画予約された番組の録画の代行を依頼することのできる他の録画機を選択する（Ｓ９０２）。
【０２６６】
この選択の方法として、録画機表の「ＲＥＱ」が「○」印のものを選ぶことは上記の通りである。
【０２６７】
又、「Ｂ−ＮＥＴ」の情報から、録画代行を依頼しようとする番組を受信することができる録画機を選択することも上記の通りである。
【０２６８】
又、この番組を録画することのできる録画機が複数ある時、その中から例えば「ＱＵＡＬ」の情報等を使って、１つの録画機を選択することも既に上記の通りである。
【０２６９】
しかしながら、あくまでもこれは一例であって、このような方法に限るものではない。
【０２７０】
このようにして、録画予約された番組の録画の代行を依頼する可能性のある録画機が決定すると、次にこの録画機に対して、その相手の録画機の現在の録画予定について、録画代行依頼の問い合わせを行う（Ｓ９０３）。
【０２７１】
この録画代行依頼の問い合わせは、例えば、録画機表（図４）の「Ｎ−ＡＤＲＳ」に記憶しているネットワークアドレスに対して、電子メールを送る等の方法で行うことができるし、他の方法であってもよい。これについても上記の通りである。
【０２７２】
この録画代行依頼の問い合わせ情報には、録画の代行を依頼する対象の番組を特定する情報や、自分自身の録画機を特定する情報は、少なくとも含まれていなければならない。これについても上記の通りである。
【０２７３】
次に、この録画予定の問い合わせを受けた録画機側では、録画代行依頼の問い合わせを受けた番組の録画予定が、現在あるか否かの判断を行う（Ｓ９０４）。
【０２７４】
この判断は、自分自身の録画予定表（図３と同じ）と、録画代行依頼の問い合わせ内容とを比較することによって行うことができる。
【０２７５】
同時に、この問い合わせを受けた録画機側では、その問い合わせを受けた番組の録画の代行が可能であるか否かの判断をも行う。この判断手順も既に上記の通りであるから、同じ説明を繰り返すことは省略する。
【０２７６】
そしてこの録画代行依頼の問い合わせを受けた録画機側で、その問い合わせを受けた番組の録画予定が現在あれば（Ｓ９０４でＹｅｓ）、問い合わせを受けた番組の録画予定が現在あり、且つその録画の代行を行うことが可能である旨を、問い合わせ元の録画機４１２に対して回答する。
【０２７７】
録画の代行依頼の問い合わせを行った録画機４１２では、この録画予定ありの回答を受け取ると、その録画機に対して録画の代行の依頼を行うことを決定し、録画代行依頼情報を送信する（Ｓ９０５）。
【０２７８】
そして録画代行依頼を行った録画機４１２では、録画代行依頼リスト（図５と同じ）と録画予定表（図３と同じ）とに、その旨の登録を行い（Ｓ９０６）、以上で録画予約の手順の全てを正常に終了する。
【０２７９】
録画代行依頼の問い合わせを受けた録画機側で、その問い合わせを受けた番組の録画予定が現在ない、或いはその録画の代行が不可能であると判断され、その旨の回答を受信すると（Ｓ９０４でＮｏ）、録画代行依頼の問い合わせを行った録画機４１２では、上記のような方法と条件で、録画代行依頼の問い合わせをすることができる他の録画機が残っているか否かの判断を行う（Ｓ９０７）。
【０２８０】
録画代行依頼の問い合わせをすることができる他の録画機が存在すれば（Ｓ９０７でＹｅｓ）、その録画機を選択し（Ｓ９０２）、その録画機に対して録画代行依頼の問い合わせを行う（Ｓ９０３）。
【０２８１】
以上の処理（Ｓ９０２からＳ９０４）を繰り返し実行する。
【０２８２】
そして、上記のような方法と条件で、他の録画機に録画代行依頼の問い合わせをすることが可能であるか否かの判断を行い（Ｓ９０７）、録画代行依頼の問い合わせをすることができる他の録画機が無くなってしまったならば（Ｓ９０７でＮｏ）、この段階で始めて、録画機４１２は自分自身で録画予約された番組にの録画をすることを検討する（Ｓ９０８）。
【０２８３】
これ以降の処理手順は、本発明の実施の形態１の録画機１１２と本質的に同じであるから、繰り返し同じ説明をすることは省略する。
【０２８４】
以上説明した本実施の形態では、予め定められた所定の順序、例えば各録画機の映像品質等に従って録画予定の有無の問い合わせを行い、録画予定があるとの回答を受け取った段階でその録画機を選択して録画代行の依頼を行った。
【０２８５】
しかしながら他の実施の形態では、予め定められた映像品質に依存する或いは他の理由に基づく順序に従って、或いは任意の順序で、録画の代行を依頼することができる可能性のある全ての録画機に対して録画代行依頼の問い合わせを行い、その回答を全て受信した後に録画代行依頼を行う録画機を選択することもできる。
【０２８６】
例えば、録画代行依頼の問い合わせを行った録画機の中で、録画予定ありの回答を受け取った録画機をまず選び出し、その中で所定の基準、例えば最も映像品質が良い録画機や、その他の各種基準に基づいて１つの録画機を選択決定し、録画の代行を依頼することができる。
【０２８７】
又、他の実施の形態では、上記手順によって録画予定ありの回答を受け取った録画機の中で、上記基準によって選択決定されなかった録画機に対しては、他の録画機で例えばより映像品質の良い録画機に同一番組を録画する予定があることを通知し、他の録画予定がある録画機にもこのより映像品質の良い録画機にその録画の代行を依頼するよう推奨或いは指示することもできる。
【０２８８】
或いは又、他の実施の形態では、上記手順によって録画予定ありの回答を受け取った録画機の中で、上記基準によって選択決定されなかった録画機であって、既にその録画の全部又は一部を行っている録画機に対しては、他の録画機で例えばより映像品質の良い録画機に同一番組を録画する予定があることを通知し、他の録画予定がある録画機にもこのより映像品質の良い録画機にその録画の代行を依頼し、現在既にその全部又は一部を行っている録画を中断或いは削除するよう推奨或いは指示することもできる。
【０２８９】
更に又、他の実施の形態では、上記のように予め定められた映像品質に依存する或いは著作権情報等のような他の理由に基づく順序に従って、或いは任意の順序で、録画の代行を依頼することができる可能性のある全ての録画機に対して録画代行依頼の問い合わせを行うのではなく、事前にネットワークを経由して録画の代行を依頼することができる可能性のある全ての録画機の録画予定表を互いに交換し合って保有しており、その内容を参照することによって、直ちに録画の代行を依頼する録画機を選択決定したり、他の録画予定がある録画機にもこのより映像品質の良い録画機にその録画の代行を依頼するよう推奨或いは指示したり、現在既にその全部又は一部を行っている録画機に対しては、その録画を中断或いは削除するよう推奨或いは指示することもできる。
【０２９０】
（実施の形態３）
次に本発明の録画装置の実施の形態３である録画機５１２について説明する。この本発明の実施の形態３の録画機５１２はその多くの部分で本発明の実施の形態１の録画機１１２と同様であるから、同一部分については重ねて説明することは行わず、異なる部分だけを取り出して説明する。
【０２９１】
従って、特に明確に断らない限り、本発明の実施の形態３の録画機５１２は本発明の実施の形態１の録画機１１２と同じである。
【０２９２】
本実施の形態の録画機５１２では、録画予約が行われたとき、その予約された録画を自分自身で行うか、或いはネットワークに接続された他の録画機に代行を依頼するかの処理手順だけが異なっている。
【０２９３】
そこで、この処理手順を中心に、図１０を使って詳細に説明する。
【０２９４】
本実施の形態の録画機５１２の主要な構成は図２に示す録画機１１２の概略構成図と本質的に同一であるから、特に違いを断らない限り図２を使って説明をする。
【０２９５】
本実施の形態の録画機５１２では、リモコン１６０又はＵ／Ｉ制御部１５６、その他を使ってユーザによって録画の予約が行われ、その情報はバス１５０を経由してＣＰＵ１３１へ送られ、ＣＰＵ１３１の制御によって録画予約の処理が実行される（Ｓ１００１）。ここまでの処理手順は本発明の実施の形態１及び実施の形態２と同様である。
【０２９６】
本実施の形態の録画機５１２では、録画予約の入力が行われると、まず他の録画機表（図４に示すものと同じ）を参照して、この録画予約された番組の録画を他の録画機に代行依頼することが可能であるか否かの判断を行う。
【０２９７】
この点において、本発明の実施の形態３の録画機５１２と、本発明の実施の形態２の録画機４１２とは同様である。
【０２９８】
この録画予約された番組の録画を他の録画機に代行依頼することが可能であるか否かの判断の内容は、本発明の実施の形態１の録画機１１２が行う内容及び本発明の実施の形態２の録画機４１２が行う内容と本質的同一であるから、同一説明を繰り返すことは省略する。
【０２９９】
録画予約された番組の録画の代行を依頼する可能性のある録画機が決定すると（Ｓ１００２）、次にこの録画機に対して、その相手の録画機の現在の混雑状況について、録画代行依頼の問い合わせを行う（Ｓ１００３）。
【０３００】
この録画代行依頼の問い合わせ方法やその内容は、本発明の実施の形態１の録画機１１２が行う内容及び本発明の実施の形態２の録画機４１２が行う内容と本質的に同一であるから、同一説明を繰り返すことは省略する。
【０３０１】
次に、この録画予定の問い合わせを受けた録画機側では、現在及び、録画代行依頼の問い合わせを受けた番組の録画予定時刻にかけて、録画機及び記録部であるＨＤＤ１３７等の混雑状況の判断を行う。
【０３０２】
この判断は、自分自身の録画予定表（図３と同じ）や、ＨＤＤ１３７の現在の残存記録容量や、将来の残存記録容量や、ビデオレコーダ１６４が使われる時にはその装着状況や残存記録容量や、例えばＣＰＵ１３１の負荷状況や、チューナ１５１や復調器１５２やデコーダ１５３を始めとするこの録画機を構成する各種リソースの負荷状況等の全部或いは一部を勘案されることによって行われ、或いは更に又、これらの負荷状況とネットワークに接続されている他の録画機の同様の負荷状況と比較考量することによって行われることもある。
【０３０３】
そしてこの録画代行依頼の問い合わせを受けた録画機側で、各種条件に基づいて判断した結果、現在の混雑状況が軽く、且つ問い合わせを受けた番組の録画の代行を行うことが可能であると判断すれば、現在の状況は余裕があり且つ録画の代行を行うことが可能である旨を、問い合わせ元の録画機５１２に対して回答する（Ｓ１００４でＹｅｓ）。
【０３０４】
録画の代行依頼の問い合わせを行った録画機５１２では、この余裕ありの回答を受け取ると、その録画機に対して録画の代行の依頼を行うことを決定し、録画代行依頼情報を送信する（Ｓ１００５）。
【０３０５】
そして録画代行依頼を行った録画機５１２では、録画代行依頼リスト（図５と同じ）と録画予定表（図３と同じ）とに、その旨の登録を行い（Ｓ１００６）、以上で録画予約の手順の全てを正常に終了する。
【０３０６】
録画代行依頼の問い合わせを受けた録画機側で、現在その余裕がない、或いはその録画の代行が不可能であると判断され、その旨の回答を受信すると（Ｓ１００４でＮｏ）、録画代行依頼の問い合わせを行った録画機５１２では、上記のような方法と条件で、録画代行依頼のための混雑状況の問い合わせをすることができる他の録画機が残っているか否かの判断を行う（Ｓ１００７）。
【０３０７】
録画代行依頼のための混雑状況の問い合わせをすることができる他の録画機が存在すれば（Ｓ１００７でＹｅｓ）、その録画機を選択し（Ｓ１００２）、その録画機に対して録画代行依頼のための混雑状況の問い合わせを行う（Ｓ１００３）。
【０３０８】
以上の処理（Ｓ１００２からＳ１００４）を繰り返し実行する。
【０３０９】
そして、上記のような方法と条件で、他の録画機に録画代行依頼のための混雑状況の問い合わせをすることが可能であるか否かの判断を行い（Ｓ１００７）、混雑状況の問い合わせをすることができる他の録画機が無くなってしまったならば（Ｓ１００７でＮｏ）、この段階で始めて、録画機５１２は自分自身で録画予約された番組の録画をすることを検討する（Ｓ１００８）。
【０３１０】
これ以降の処理手順は、本発明の実施の形態１の録画機１１２と本質的に同じであるから、繰り返し同じ説明をすることは省略する。
【０３１１】
尚、以上説明した本実施の形態では、混雑状況の問い合わせを受けた他の録画機側で余裕の有無を判断したが、必ずしもこのような方法に限るものではなく、問い合わせを受けた他の録画機側では混雑状況を表す何等かの指標、例えば混雑状況をＡ，Ｂ，Ｃの３段階で表したり、残存している録画予定表の番組数で表したり、単位時間当たりの録画時間比率で表したり、その他各種の混雑状況を表す指標で回答し、その回答を受けた録画代行依頼の問い合わせ側で、自分自身の混雑状況を表す指標とその回答の指標とを比較したり、ネットワークに接続されている他の録画機の指標と比較することによってその混雑状況を判断し、録画代行依頼を行うか否かを決定する実施の形態であっても構わない。
【０３１２】
（実施の形態４）
本発明の実施の形態４では、本発明の実施の形態１から本発明の実施の形態３までを含めて、代行して行われた録画映像の再生や移動やコピーについて説明をする。
【０３１３】
尚、ここでは、再生とは録画されている映像を復元して視聴することを言い、移動とは録画されている映像を他の録画機や記録媒体に複写して、元の録画機や記録媒体からは削除することを言い、コピーとは録画されている映像を他の録画機や記録媒体に複写して、元の録画機や記録媒体にもそのまま存続することを言う。
【０３１４】
本実施の形態では、原則、録画機１１２が録画機１１４に録画の代行を依頼して行われた映像情報は、録画機１１２が例えばインターネット１１９を経由して再生又は移動することができ、インターネット１１９に接続された他の録画機は原則視聴したり移動したり、コピーすることはできない。
【０３１５】
通常これらの映像情報は著作権で保護されており、著作権の保護に抵触することを避けるためである。
【０３１６】
しかしながら、例えば録画予定表（図３）に各番組毎の著作権情報が含まれるケースで、その著作権情報がコピーフリーを表しているようなケースでは、必ずしもこのような制限は設けず、他の録画機が自由に再生、移動、コピーできるような実施の形態であっても構わない。
【０３１７】
或いは、同様に録画予定表（図３）に各番組毎の著作権情報が含まれるケースで、その著作権情報がコピーワンスを表しているようなケースでは、何等かの録画機や記録媒体に対して１回だけコピーすることができるが、その制御は本発明の本質とは直接関係しないので説明は省略する。
【０３１８】
この録画の代行を依頼を行った録画機１１２だけが、録画機１１４から再生又は移動することができるための制御は、上記録画代行受諾リストの内容を参照することによって可能である。
【０３１９】
この録画代行受諾リストには、この録画機１１４が録画の代行の依頼を受けた録画機１１２を始めとする録画機を特定する情報、例えば「Ｎ−ＡＤＲＳ」が番組毎に記憶されており、ここに記憶されている情報に従って、再生或いは移動を許可する録画機を決定することができる。
【０３２０】
上記実施の形態１において録画の代行の依頼を行った録画機だけでなく、例えば実施の形態２において、録画予定ありの回答を行った録画機の中で、録画の代行を依頼する相手として選択決定されなかった録画機が、他の録画機で例えばより映像品質の良い録画機に対してその録画の代行を依頼したようなケースでは、その録画の代行を依頼した録画機も又、録画代行受諾リストに登録されることによって、その映像情報を再生或いは移動することが可能になる。
【０３２１】
或いは又、例えば実施の形態２において、録画予定ありの回答を行った録画機の中で、録画の代行を依頼する相手として選択決定されなかった録画機であって、且つ既にその録画の全部又は一部を行っていた録画機であり、より映像品質の良い録画機等にその録画の代行を依頼し、既にその全部又は一部を行っていた録画を中断或いは削除した録画機も、録画代行受諾リストに登録されることによって、その映像情報を再生或いは移動することが可能になる。
【０３２２】
しかしながら、必ずしも以上のような実施の形態に限るものではなく、例えば、録画機表に登録されている全ての録画機に対して、再生、移動、コピーの全て或いは一部を許可したり、録画機表に登録されている録画機で「ＲＥＱ」の欄に「○」が登録されている全ての録画機に対して、再生、移動、コピーの全て或いは一部を許可したり、録画機表に登録されている録画機で「ＡＣＣ」の欄に「○」が登録されている全ての録画機に対して、再生、移動、コピーの全て或いは一部を許可したり、その他の何等かの基準に従って録画機を選択して再生、移動、コピーの全て或いは一部を許可する実施の形態であっても構わない。
【０３２３】
又、他の実施の形態では、上記のような何等かの基準に従って許可された録画機が、録画の代行を依頼された録画機から映像情報をコピーしている時、そのコピーを行っていた録画機がユーザの操作やその他の事情によってコピーを中断し、その映像情報の再生を行おうとする時には、その旨を指示する情報を録画代行を行った録画機に送ることによって映像情報のコピーを中断して再生を行うことができ、更に又、その再生が終了した時、或いは再生を中断する時には、再度コピーに戻って、その続きのコピーを再開することができる。
【０３２４】
上記のように録画の代行の依頼を行った録画機や或いは録画の代行の依頼を受諾して録画を行った録画機やその他ネットワークで接続された他の録画機で再生された録画情報は、これらの録画機やネットワークで接続された他の機器に接続されているテレビ受像機やＣＲＴモニタやパソコンの表示画面やその他の各種表示機で表示して視聴することができる。
【０３２５】
又、これら録画の代行の依頼を受諾して録画を行った録画機が記録している各番組に相当する録画情報に対しては、その再生の可否を制御する再生可否制御情報を含む再生可能リストが、録画の代行の依頼を行った録画機や或いは録画の代行の依頼を受諾して録画を行った録画機やその他ネットワークで接続された他の機器、例えばサーバ等に記憶されている実施の形態もある。
【０３２６】
更に、このような実施の形態ではある録画情報に対応する再生可否制御情報が、全ての再生可能リストから削除或いは消去された時に、各録画機に記録されているこの録画情報が削除される実施の形態もある。
【産業上の利用可能性】
【０３２７】
以上説明したように本発明によれば、上記のような構成を採用することによって、特別な施設を設置することなく、ネットワークに接続された、或いは、通信回線に接続された、録画機能を有する録画装置間で、互いに録画の代行を行うことができ、その設置や運用に特別な労力や費用を必要とすることがない。
【０３２８】
又、正当な権限がない不正な録画代行要求情報が送信された時には、それが不正なものであることを判断し、録画代行を拒否することが可能になる。
【０３２９】
或いは又、正当な録画代行要求情報が送信された時、録画代行要求を受けた側に、故障やその他何等かの録画代行ができない事情がある時には、その状態を録画代行要求元に連絡したり、ネットワークに接続された、或いは、通信回線に接続された、他の録画機能を有する録画装置間で、互いに録画の代行を行うことが可能になる。
【０３３０】
更に又、一旦番組の録画代行を要求した後でも、その後何等かの状況の変化によって、録画代行要求元での録画が可能になった時には、録画代行要求を取り消し、自分自身で録画することが可能になる。
【０３３１】
或いは、一旦番組の録画代行を要求した後、その録画代行を要求した番組を、コピー中に、或いは録画が終了後にその録画代行を要求された側でその番組を再生し、それを録画代行要求元で視聴することが可能になる。
【０３３２】
又、要求に従って録画代行を行った番組の、他の機器からの配信要求を拒否することが可能であり、セキュリティやプライバシーを保護することができると共に、著作権に係わる問題を生じることもない。
【０３３３】
更に又、多くの機器からの同一番組の録画代行要求に対して、１つだけの録画を実行するので、重複して同じ番組の録画を行い、不要に記録領域を消費したり、リソースの無駄遣いをしてしまうことがない。
【０３３４】
更に、複数の録画装置間でも、同一の番組の録画代行要求に対して、１つだけの録画を実行するので、重複して同じ番組の録画を行い、不要に記録領域を消費したり、リソースの無駄遣いをしてしまうことが起こらない。
【０３３５】
以上のような多大の効果を得ることが可能で、本発明の産業上の利用可能性は極めて大きい。
【図面の簡単な説明】
【０３３６】
【図１】本発明の実施の形態１である録画機１１２の使用される状態を示す図
【図２】本発明に係る録画装置の実施の形態１である録画機１１２の概略構成図
【図３】本発明に係る録画装置の実施の形態１である録画機１１２が記憶している録画予定表の図
【図４】本発明に係る録画装置の実施の形態１である録画機１１２が記憶している他の録画機表の図
【図５】本発明に係る録画装置の実施の形態１である録画機１１２が記憶している録画代行依頼  リストの図
【図６】本発明に係る録画装置の実施の形態１である録画機１１２が記憶している録画代行受諾リストの図
【図７】本発明に係る録画装置の実施の形態１である録画機１１２が行う録画代行依頼の手順を示す図
【図８】本発明に係る録画装置の実施の形態１である録画機１１２が行う録画代行受諾の手順を示す図
【図９】本発明に係る録画装置の実施の形態２である録画機４１２が行う録画代行依頼の手順を示す図
【図１０】本発明に係る録画装置の実施の形態３である録画機５１２が行う録画代行依頼の手順を示す図
【図１１】従来の録画装置の一具体例である録画代行システムの概略構成図
【図１２】従来の録画装置の一具体例である録画代行システムの受信局９１２の概略構成図
【符号の説明】
【０３３７】
１１０，９１０    放送局
１１２，１１３，１１４，１１５    録画機
１１９，９１９    インターネット
１２２，１２３，１２４，１２５    一般家庭
１３１，９３１    ＣＰＵ
１３２，９３２    ＲＡＭ
１３３，９３３    ＲＯＭ
１３５，９３５    ＩＥＥＥ１３９４    Ｉ／Ｆ
１３６，９３６    ＨＤＤ    Ｉ／Ｆ
１３７，９３７    ＨＤＤ
１３９，９３９    通信Ｉ／Ｆ
１４４    電源部
１５１，９５１    チューナ
１５２，９５２    復調器
１５３，９５３    デコーダ
１５４，９５４    ＲＡＭ
１５５，９５５    ＭＵＸ
１５６，９５６    Ｕ／Ｉ制御部
１５７，９５７    コンポーザ
１５８，９５８    グラフィック処理コントローラ
１６０，９６０    リモコン
１６１，９６１    ディスプレイ
１６２，９６２    スピーカ
１６４，９６４    ビデオレコーダ
１７０，９７０    放送コンテンツ
９１２    受信局
９１３    広告サーバ
９１４    録画センター局
【図１】
2005333534.tif 000003
【図２】
2005333534.tif 000004
【図３】
2005333534.tif 000005
【図４】
2005333534.tif 000006
【図５】
2005333534.tif 000007
【図６】
2005333534.tif 000008
【図７】
2005333534.tif 000009
【図８】
2005333534.tif 000010
【図９】
2005333534.tif 000011
【図１０】
2005333534.tif 000012
【図１１】
2005333534.tif 000013
【図１２】
2005333534.tif 000014